(57)【要約】この開示は、モバイル送信ダイバーシティのためのシステム、方法、および装置を提供する。１つの態様では、無線通信装置が提供される。無線通信装置は、複数のアンテナを含んでいる。無線通信装置はさらに、複数の送信回路を含んでいる。複数の送信回路のうちのおのおのの送信回路は、異なるラジオ・アクセス技術にしたがって送信するように構成される。無線通信装置はさらに、無線通信装置の検出された動作モードと、送信回路のおのおののデータの優先度レベルとに基づいて、複数のアンテナのうちの対応する１つを介して無線通信を送信するように、複数の送信回路のうちの送信回路のおのおのを選択的に切り換えるように構成されたコントローラを含む。
2015521006.tif 000002
【特許請求の範囲】
【請求項１】
無線通信装置であって、
複数のアンテナと、
複数の送信回路と、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、前記複数のアンテナのうちの対応する１つを介して無線通信を送信するように、前記複数の送信回路のおのおのを選択的に切り換えるように構成されたコントローラと、
を備える無線通信装置。
【請求項２】
前記コントローラはさらに、前記検出された動作モードと前記優先度レベルの組み合わせについて、前記複数の送信回路の、前記複数のアンテナへの予め決定されたマッピングに基づいて選択的に切り換えるように構成された、請求項１の無線通信装置。
【請求項３】
前記予め決定されたマッピングを格納するように構成されたメモリ、をさらに備える請求項２の無線通信装置。
【請求項４】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、請求項２の無線通信装置。
【請求項５】
前記複数の送信回路のおのおのの優先権は、前記複数の送信回路のおのおのの電力制限に基づき、前記優先度レベルは、データ通信よりも高い優先度を有する音声通信またはデータ・オンリー通信に基づく、請求項４の無線通信装置。
【請求項６】
前記コントローラは、前記検出された動作モードを、決定された値にマップすることと、前記決定された値を、ルックアップ・テーブルに提供することとによって、前記予め決定されたマッピングに基づいて選択的に切り換えるように構成され、
前記ルックアップ・テーブルは、前記決定された値に基づいて、前記予め決定されたマッピングを提供するように構成された、請求項４の無線通信装置。
【請求項７】
前記コントローラはさらに、前記複数の送信回路のうちのどれがアクティブであるかに基づいて、選択的に切り換えるように構成された、請求項１の無線通信装置。
【請求項８】
前記複数のアンテナのおのおのに対する物体の近接度を感知するように構成された複数の近接度センサをさらに備え、
前記検出された動作モードは、前記複数の近接度センサの状態情報に少なくとも部分的に基づく、請求項１の無線通信装置。
【請求項９】
前記コントローラは、さらに前記無線通信装置のパフォーマンス特性に基づいて、前記複数のアンテナのうちの対応する１つを介して通信するように、前記複数の送信回路のおのおのを選択的に切り換えるように構成された、請求項１の無線通信装置。
【請求項１０】
前記パフォーマンス特性は、前記複数の送信回路のうちの少なくとも１つの送信電力レベルと、前記複数のアンテナのうちの少なくとも２つのアンテナ間の干渉量と、前記複数の送信回路のうちの少なくとも１つの目標サービス品質レベルと、前記複数の送信回路のうちの少なくとも１つの送信電力レベルの規制要件とを備える、請求項９の無線通信装置。
【請求項１１】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項１の無線通信装置。
【請求項１２】
前記コントローラは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えるように構成された、請求項１の無線通信装置。
【請求項１３】
前記ラジオ・アクセス技法タイプは、無線広域ネットワーク、無線ローカル・エリア・ネットワーク、音声通信を送信するための無線ネットワーク、データ通信を送信するための無線ネットワーク、またはこれらの任意の組み合わせのうちの少なくとも１つに対応する、請求項１の無線通信装置。
【請求項１４】
無線通信装置において実施される方法であって、
前記無線通信装置の検出された動作モードと、複数の送信回路のおのおののデータの優先度レベルのうちの少なくとも１つを示すインジケーションを受信することと、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルに基づいて、前記複数の送信回路のおのおのを、複数のアンテナのうちの対応する１つを介して無線通信を送信するように選択的に切り換えることと、
を備える方法。
【請求項１５】
前記選択的に切り換えることは、前記検出された動作モードと、前記優先度レベルの組み合わせについて、前記複数の送信回路の、前記複数のアンテナへの予め決定されたマッピングに基づいて選択的に切り換えることを備える、請求項１４に記載の方法。
【請求項１６】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、請求項１５に記載の方法。
【請求項１７】
前記複数の送信回路のおのおのの優先権は、前記複数の送信回路のおのおのの電力制限に基づき、前記優先度レベルは、データ通信よりも高い優先度を有する音声通信、または、データ・オンリー通信に基づく、請求項１６に記載の方法。
【請求項１８】
前記検出された動作モードを、決定された値にマップすることと、
前記決定された値を、ルックアップ・テーブルに提供することとをさらに備え、
前記ルックアップ・テーブルは、前記決定された値に基づいて、前記予め決定されたマッピングを提供するように構成された、請求項１５に記載の方法。
【請求項１９】
前記選択的に切り換えることはさらに、前記複数の送信回路のうちのどれがアクティブであるかに基づいて選択的に切り換えることを備える、請求項１４に記載の方法。
【請求項２０】
前記動作モードは、前記複数のアンテナのおのおのに対する物体の近接度を感知するように構成された複数の近接度センサの状態情報に少なくとも部分的に基づく、請求項１４に記載の方法。
【請求項２１】
前記選択的に切り換えることはさらに、さらに前記無線通信装置のパフォーマンス特性に基づいて、前記複数の送信回路のおのおのを、前記複数のアンテナのうちの対応する１つを介して通信するように選択的に切り換えることを備える、請求項１４に記載の方法。
【請求項２２】
前記パフォーマンス特性は、前記複数の送信回路のうちの少なくとも１つの送信電力レベルと、前記複数のアンテナのうちの少なくとも２つのアンテナ間の干渉量と、前記複数の送信回路のうちの少なくとも１つの目標サービス品質レベルと、前記複数の送信回路のうちの少なくとも１つの送信電力レベルの規制要件とを備える、請求項２１に記載の方法。
【請求項２３】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項１４に記載の方法。
【請求項２４】
前記選択的に切り換えることは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えることを備える、請求項１４に記載の方法。
【請求項２５】
無線通信装置であって、
前記無線通信装置の検出された動作モードと、複数の送信回路のおのおののデータの優先度レベルのうちの少なくとも１つを示すインジケーションを受信する手段と、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、複数のアンテナのうちの対応する１つによって無線通信を送信するように、前記複数の送信回路のおのおのを選択的に切り換える手段と、
を備える無線通信装置。
【請求項２６】
前記選択的に切り換える手段は、前記検出された動作モードと、前記優先度レベルの組み合わせについて、前記複数の送信回路の、前記複数のアンテナへの予め決定されたマッピングに基づいて、選択的に切り換える手段を備える、請求項２５の無線通信装置。
【請求項２７】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、請求項２６の無線通信装置。
【請求項２８】
前記検出された動作モードを、決定された値にマップする手段と、
前記決定された値を、ルックアップ・テーブルに提供する手段とをさらに備え、
前記ルックアップ・テーブルは、前記決定された値に基づいて、前記予め決定されたマッピングを提供するように構成された、請求項２６の無線通信装置。
【請求項２９】
前記選択的に切り換える手段はさらに、前記複数の送信回路のうちのどれがアクティブであるかに基づいて選択的に切り換える手段を備える、請求項２５の無線通信装置。
【請求項３０】
前記動作モードは、前記複数のアンテナのおのおのに対する物体の近接度を感知するように構成された複数の近接度センサの状態情報に少なくとも部分的に基づく、請求項２５の無線通信装置。
【請求項３１】
前記選択的に切り換える手段はさらに、さらに前記無線通信装置のパフォーマンス特性に基づいて、前記複数の送信回路のおのおのを、前記複数のアンテナのうちの対応する１つを介して通信するように選択的に切り換える手段を備える、請求項２５の無線通信装置。
【請求項３２】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項２５の無線通信装置。
【請求項３３】
前記選択的に切り換える手段は、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換える手段を備える、請求項２５の無線通信装置。
【請求項３４】
コンピュータ・プログラム製品であって、
無線通信装置の検出された動作モードと、複数の送信回路のおのおののデータの優先度レベルのうちの少なくとも１つを示すインジケーションを受信するためのコードと、ここで、前記複数の送信回路のおのおのは、異なるラジオ・アクセス技法にしたがって送信するように構成されている、
前記無線通信装置の検出された動作モードと、前記複数の送信回路のおのおののデータの優先度レベルとに基づいて、複数のアンテナのうちの対応する１つによって無線通信を送信するように、前記複数の送信回路のおのおのを選択的に切り換えるためのコードと、
を備えるコンピュータ読取可能な媒体、を備えるコンピュータ・プログラム製品。
【請求項３５】
前記選択的に切り換えるためのコードは、前記検出された動作モードと、前記優先度レベルの組み合わせについて、前記複数の送信回路の、前記複数のアンテナへの予め決定されたマッピングに基づいて、選択的に切り換えるためのコードを備える、請求項３４に記載のコンピュータ・プログラム製品。
【請求項３６】
前記複数の送信回路の、前記複数のアンテナへの予め決定されたマッピングは、前記動作モード、前記複数の送信回路のうちのアクティブな送信回路の現在のセット、前記アクティブな送信回路のセットの優先度レベル、および、前記複数の送信回路のおのおのの送信回路優先権、からなるおのおのの組み合わせについて固定されている、請求項３５に記載のコンピュータ・プログラム製品。
【請求項３７】
前記選択的に切り換えるためのコードはさらに、前記複数の送信回路のうちのどれがアクティブであるかに基づいて選択的に切り換えるためのコードを備える、請求項３４に記載のコンピュータ・プログラム製品。
【請求項３８】
前記動作モードは、前記複数のアンテナのおのおのに対する物体の近接度を感知するように構成された複数の近接度センサの状態情報に少なくとも部分的に基づく、請求項３４に記載のコンピュータ・プログラム製品。
【請求項３９】
前記選択的に切り換えるためのコードはさらに、さらに前記無線通信装置のパフォーマンス特性に基づいて、前記複数の送信回路のおのおのを、前記複数のアンテナのうちの対応する１つを介して通信するように選択的に切り換えるためのコードを備える、請求項３４に記載のコンピュータ・プログラム製品。
【請求項４０】
前記動作モードは、前記無線通信装置のユーザへの近接度と、前記無線通信装置の方位と、通信モードと、前記複数のアンテナのうちの何れかが遮られていることに基づく情報と、のうちの少なくとも１つに基づく、請求項３４に記載のコンピュータ・プログラム製品。
【請求項４１】
前記選択的に切り換えるためのコードは、前記複数の送信回路のうちのアクティブな送信回路の数の変化と、前記複数の送信回路のおのおののデータの優先度レベルの変化と、前記無線通信装置の動作モードの変化と、のうちの少なくとも１つを示すインジケーションを受信することに応じて、選択的に切り換えるためのコードを備える、請求項３４に記載のコンピュータ・プログラム製品。
【発明の詳細な説明】
【優先権主張】
【０００１】
本願は、２０１２年５月２１日に出願され「自律的なアンテナ選択のためのシステム、装置、および方法」（SYSTEMS, APPARATUS, AND METHODS FOR AUTONOMOUS ANTENNA SELECTION）と題された米国仮出願６１／６４９，７０４号と、２０１２年１０月２１日に出願され「自律的なアンテナ選択のためのシステム、装置、および方法」（SYSTEMS, APPARATUS, AND METHODS FOR AUTONOMOUS ANTENNA SELECTION）と題された米国仮出願６１／７１６，５８２号とに対する３５Ｕ．Ｓ．Ｃ．§１１９（ｅ）の下の利益を主張する。これら出願はともに、本明細書において、あたかも以下および適用可能なすべての目的のために完全に記載されているかのように、その全体が参照によって組み込まれている。
【技術分野】
【０００２】
本願の実施形態は、一般に、無線通信に関し、さらに詳しくは、電力送信レベルおよび電力受信レベルを最大化するためのアンテナ選択に関する。
【背景技術】
【０００３】
無線通信システムは、例えば音声およびデータのようなさまざまなタイプの通信コンテンツを提供するために広く開発された。一般に、無線通信システムは、利用可能なシステム・リソース（例えば、帯域幅、送信電力）を共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰ２、３ＧＰＰロング・ターム・イボリューション（ＬＴＥ）、ＬＴＥアドバンスト（ＬＴＥ−Ａ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
モバイル・デバイスはさらに、複数のラジオ・アクセス技法を用いて通信を同時にサポートしうる。モバイル・デバイスは、異なるラジオ・アクセス技法をサポートする異なる領域を通って移動するので、例えば、モバイル・デバイスが動作する地理的な領域を拡張することによって、通信によって提供されるサービスの範囲を拡張するために、異なるラジオ・アクセス技法が使用されうる。さらに、ユーザが、種々の異なる形式の無線通信アクティビティに同時にエンゲージできるようにするために、異なるラジオ・アクセス技法が使用されうる。
【発明の概要】
【０００６】
特許請求の範囲のスコープ内のこれらシステム、方法、および、デバイスのさまざまな実施形態は、おのおのいくつかの態様を有し、いくつかの実施形態では、これらの態様のすべてまたはいくつかが、実施形態の利点および特徴をイネーブルおよび提供しうる。特許請求の範囲のスコープを限定することなく、いくつかの顕著な特徴が、本明細書において記載される。
【０００７】
本明細書に記載されている主題の１または複数の詳細は、以下の添付図面および詳細説明において記載されている。他の特徴、態様、および利点が、詳細説明、図面から、および特許請求の範囲から明らかになるだろう。以下の図面の相対的な大きさは、元の通り拡大縮小するように図示されている訳ではないことに留意されたい。
【０００８】
本開示に記載される主題の１つの態様は、無線通信装置を提供する。無線通信装置は、複数のアンテナを含んでいる。無線通信装置はさらに、複数の送信回路を含んでいる。これら複数の送信回路のうちのおのおのの送信回路は、異なるラジオ・アクセス技法にしたがって送信するように構成されている。無線通信装置はさらに、無線通信装置の検出された動作モードと、送信回路のおのおののデータの優先度レベルとに基づいて、複数のアンテナのうちの対応する１つによって無線通信を送信するために、複数の送信回路のうちの送信回路のおのおのを選択的に切り換えるように構成されたコントローラを含む。
【０００９】
本開示に記載された主題の別の態様は、無線通信装置において実施される方法の実施を提供する。この方法は、無線通信装置の検出された動作モードと、複数の送信回路のうちのおのおののデータの優先度レベルのうちの少なくとも１つを示すインジケーションを受信することを含む。これら複数の送信回路のうちのおのおのは、異なるラジオ・アクセス技法にしたがって送信するように構成されている。この方法はさらに、無線通信装置の検出された動作モードと、送信回路のおのおののデータの優先度レベルとに基づいて、複数のアンテナのうちの対応する１つによって無線通信を送信するために、複数の送信回路のうちの送信回路のおのおのを選択的に切り換えることを含む。
【００１０】
さらに、本開示に記載された主題の別の態様は、無線通信装置を提供する。無線通信装置は、無線通信装置の検出された動作モードと、複数の送信回路のうちのおのおののデータの優先度レベルのうちの少なくとも１つを示すインジケーションを受信する手段を含む。これら複数の送信回路のうちのおのおのは、異なるラジオ・アクセス技法にしたがって送信するように構成されている。無線通信装置はさらに、無線通信装置の検出された動作モードと、送信回路のおのおののデータの優先度レベルとに基づいて、複数のアンテナのうちの対応する１つによって無線通信を送信するために、複数の送信回路のうちの送信回路のおのおのを選択的に切り換える手段を含む。
【００１１】
本開示に記載された主題の別の態様は、コンピュータ・プログラム製品を提供する。このコンピュータ・プログラム製品は、コンピュータ読取可能な媒体を含む。コンピュータ読取可能な媒体は、無線通信装置の検出された動作モードと、複数の送信回路のうちのおのおののデータの優先度レベルのうちの少なくとも１つを示すインジケーションを受信するためのコードを含む。これら複数の送信回路のうちのおのおのは、異なるラジオ・アクセス技法にしたがって送信するように構成されている。コンピュータ読取可能な媒体はさらに、無線通信装置の検出された動作モードと、送信回路のおのおののデータの優先度レベルとに基づいて、複数のアンテナのうちの対応する１つによって無線通信を送信するために、複数の送信回路のうちの送信回路のおのおのを選択的に切り換えるためのコードを含む。
【００１２】
以下に示す具体的で典型的な実施形態を、添付図面とともにレビューすることによって、その他の態様、機能、および実施形態が、当業者に明らかになるであろう。これら機能は、以下に示すいくつかの実施形態および図面に関して記載されうるが、すべての実施形態は、本明細書で議論されている有利な機能のうちの１または複数を含みうる。言い換えれば、１または複数の実施形態は、いくつかの有利な機能を有するものとして議論されうるが、このような機能のうちの１または複数はまた、本明細書で議論されている発明のさまざまな実施形態にしたがって使用されうる。同様の手法で、典型的な実施形態は、以下においてデバイス、システム、または方法の実施形態として議論されているが、このような典型的な実施形態は、さまざまなデバイス、システム、および方法で実現されうることが理解されるべきである。
【図面の簡単な説明】
【００１３】
【図１】図１は、いくつかの実施形態にしたがう無線通信システムの簡略図の例を示す。
【図２】図２は、いくつかの実施形態にしたがって無線通信ネットワークにおいて動作する典型的なモバイル・デバイスの機能ブロック図の例を示す。
【図３】図３は、いくつかの実施形態にしたがう、図１および図２に図示される典型的なアクセス端末の機能ブロック図の例を示す。
【図４】図４は、いくつかの実施形態にしたがう、図３に図示されるアクセス端末の一部の機能ブロック図である。
【図５】図５は、いくつかの実施形態にしたがう、送信回路のアンテナへのマッピングを決定するための典型的な方法の実施のフローチャートである。
【図６】図６は、いくつかの実施形態にしたがって、異なるラジオ・アクセス技法タイプのためのルックアップ・テーブルの異なるグループを例示する、デバイス状態毎に提供される可能な異なる送信電力レベルの例を提供するための、異なるＲＡＴタイプのための異なるＬＵＴのグループの例を示す。
【図７Ａ】図７Ａは、いくつかの実施形態にしたがって、デバイス状態インデクスにしたがって送信電力制限を決定するために使用されうる２つの典型的なルックアップ・テーブルの例を示す。
【図７Ｂ】図７Ｂは、いくつかの実施形態にしたがって、デバイス状態インデクスにしたがって送信電力制限を決定するために使用されうる２つの典型的なルックアップ・テーブルの例を示す。
【図８】図８は、いくつかの実施形態にしたがって、与えられたラジオ・アクセス技法タイプ、アンテナ、帯域クラス、コンフィギュレーション、およびアップリンク・チャネルのための送信電力制限を決定するためのルックアップ・テーブルの一部の例を提供する。
【図９】図９は、いくつかの実施形態にしたがう、送信回路および第１の受信回路のアンテナへのマッピングのための典型的な方法の実施のフローチャートである。
【図１０Ａ】図１０Ａは、いくつかの実施形態にしたがって、対応する受信電力レベルによってインデクスされるような不均衡しきい値を決定するために使用されうるＬＵＴの例を示す。
【図１０Ｂ】図１０Ｂは、いくつかの実施形態にしたがって、アンテナの受信電力レベルに基づいて不均衡しきい値を決定するためにＬＵＴがどのように使用されうるかを例示するテーブルを示す。
【図１１】図１１は、いくつかの実施形態にしたがって、無線通信装置によって実施される典型的な方法の実施のフローチャートを示す。
【図１２】図１２は、いくつかの実施形態にしたがって、無線通信装置によって実施される典型的な方法の実施の例の別のフローチャートを示す。
【図１３】図１３は、いくつかの実施形態にしたがって無線通信システム内で適用されうる別の典型的な無線通信装置の機能ブロック図である。
【図１４】図１４は、いくつかの実施形態にしたがって無線通信システム内で適用されうる別の典型的な無線通信装置の機能ブロック図である。
【図１５】図１５は、いくつかの実施形態にしたがう、通信システムにおけるさまざまな構成要素の機能ブロック図の例を示す。
【００１４】
一般的な実施によれば、これら図面に例示されたさまざまな機能は、元の通り拡大縮小するように描かれていないことがありうる。したがって、これらさまざまな機能の寸法は、明瞭さのために任意に拡大または縮小されうる。さらに、これら図面のうちのいくつかは、与えられたシステム、方法、またはデバイスの構成要素のうちの必ずしもすべてを記載している訳ではない。明細書および図面を通じて、同一の機能を示すために、同一の参照番号が使用されうる。
【発明を実施するための形態】
【００１５】
特許請求の範囲のスコープ内の実施形態のさまざまな態様が、以下に記載される。本明細書に記載された態様は、種々広範な形式で実施され、本明細書に記載された具体的な構成および／または機能は単なる例示であることが明白であるべきである。本開示に基づいて、当業者は、本明細書に記載された態様は、その他の任意の態様とは独立して実施されうること、および、これら態様のうちの２またはそれ以上が、さまざまな手法で組み合わされうることを認識すべきである。例えば、本明細書に記載された任意の数の態様を用いて装置が実施され、および／または、方法が実現されうる。さらに、本明細書に記載された態様のうちの１または複数に追加された、あるいは、本明細書に記載された態様のうちの１または複数とは異なる他の構成および／または機能を用いて、このような装置が実装され、および／または、このような方法が実現されうる。
【００１６】
「典型的である」という単語は「例、事例、あるいは実例として役立つ」ことを意味するために本明細書で使用される。本明細書で“典型的である”と記載されたあらゆる実施形態は、他の実施形態よりも好適であるとか有利であるとか解釈される必要は必ずしもない。以下の記載は、当業者が本発明を製造および使用することを可能にするために提供される。詳細は、説明の目的のために、以下の記載において述べられる。当業者であれば、本発明は、これら具体的な詳細を用いることなく実施されうることが認識されるべきである。他の事例では、本発明の詳細を不必要な詳細説明で曖昧にしないために、周知の構成および処理は、詳述されない。したがって、本発明は、図示された実施形態によって限定されることは意図されておらず、本明細書に開示された原理および機能と首尾一貫した最も広いスコープを与えられるべきである。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、ＦｌａｓｈＯＦＤＭ等のようなラジオ技法を実施しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００およびＥＶ−ＤＯは、「第３世代パートナシップ計画２」（３ＧＰＰ２）と命名された団体からの文書に記載されている。これらさまざまなラジオ技術および規格は、当該技術分野において知られている。
【００１８】
本明細書に記載された技法はさらに、例えば、音声データと非音声データとを同時に送信および受信することを可能にする同時音声およびデータ・モードのような異なるラジオ・アクセス技法に関連付けられたさまざまなモードを用いて使用されうる。例えば、Simultaneous 1X Voice and EV-DO Data（ＳＶＤＯ）モードおよびSimultaneous 1X and LTE（ＳＶＬＴＥ）モードが、さまざまな実施形態において適用されうる。
【００１９】
シングル・キャリア変調および周波数領域等値化を用いるシングル・キャリア周波数分割多元接続（ＳＣ−ＦＤＭＡ）は、無線通信システムにおいて使用される１つの技法である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００２０】
図１は、いくつかの実施形態にしたがう典型的な無線通信ネットワーク１００を例示する。無線通信ネットワーク１００は、多くのユーザ間の通信をサポートするように構成される。無線通信ネットワーク１００は、例えばセル１０２ａ−１０２ｇのように１または複数のセル１０２に分割されうる。セル１０２ａ−１０２ｇ内の通信有効通信範囲は、例えばノード１０４ａ−１０４ｇのような１または複数のノード１０４（例えば、基地局）によって提供されうる。各ノード１０４は、対応するセル１０２に通信有効通信範囲を提供しうる。ノード１０４は、例えばＡＴ１０６ａ−１０６ｌのような複数のアクセス端末（ＡＴ）とインタラクトしうる。参照を容易にするために、ＡＴ１０６ａ−１０６ｌは、以下、アクセス端末１０６と称されうる。
【００２１】
おのおののＡＴ１０６は、所与の時間において、順方向リンク（ＦＬ）および／または逆方向リンク（ＲＬ）で１または複数のノード１０４と通信しうる。ＦＬは、ノードからＡＴへの通信リンクである。ＲＬは、ＡＴからノードへの通信リンクである。ＦＬは、ダウンリンクとも称されうる。さらに、ＲＬは、アップリンクとも称されうる。ノード１０４は、例えば、適切な有線インタフェースまたは無線インタフェースによって相互接続され、互いに通信可能でありうる。したがって、おのおののＡＴ１０６は、１または複数のノード１０４を介して、別のＡＴ１０６と通信しうる。
【００２２】
無線通信ネットワーク１００は、広範な地理的領域にわたってサービスを提供しうる。例えば、セル１０２ａ−１０２ｇは、過疎環境における近隣または数平方マイル内の数ブロックしかカバーしないかもしれない。１つの実施形態では、おのおののセルは、（図示しない）１または複数のセクタにさらに分割されうる。
【００２３】
前述したように、ノード１０４は、例えばインターネットまたは別のセルラ・ネットワークのような別の通信ネットワークへのアクセスを、有効通信範囲エリア内のアクセス端末（ＡＴ）１０６に提供しうる。
【００２４】
ＡＴ１０６は、通信ネットワークを介して音声またはデータを送信および受信するためにユーザによって使用される無線通信デバイス（例えば、モバイル電話、ルータ、パーソナル・コンピュータ、サーバ等）でありうる。アクセス端末（ＡＴ）１０６はまた、本明細書において、ユーザ機器（ＵＥ）、移動局（ＭＳ）、または端末装置とも称されうる。図示されるように、ＡＴ１０６ａ，１０６ｈ，１０６ｊは、ルータを備える。ＡＴ１０６ｂ−１０６ｇ，１０６ｉ，１０６ｋ，１０６ｌは、モバイル電話を備える。しかしながら、ＡＴ１０６ａ−１０６ｌのおのおのは、任意の適切な通信デバイスを備えうる。
【００２５】
アクセス端末１０６は、例えばｃｄｍａ２０００  １ｘ、１ｘ−ＥＶ−ＤＯ、ＬＴＥ、ｅＨＲＰＤ、８０２．１１等の規格によって定義されたラジオ・アクセス技法のような異なるラジオ・アクセス技法（ＲＡＴ）を用いて動作することが可能な、マルチモードでありうる。アクセス端末１０６は、異なるラジオ・アクセス技法を用いて、さまざまな通信システムにわたって複数のタスクを実行しうる。この通信は複数の連結された送信機を用いて達成されうるか、または、単一の送信機を用いて通信されうる。
【００２６】
図２は、いくつかの実施形態にしたがって無線通信ネットワーク２００において動作する典型的なアクセス端末１０６の機能ブロック図の例を示す。無線通信ネットワーク２００は、アクセス端末１０６、第２の無線通信デバイス２１０、第３の無線通信デバイス２２０、第４の無線通信デバイス２３０、およびセルラ塔２４０を備える。無線通信ネットワーク２００は、例えば無線通信デバイス１０６ａ，２１０，２２０，２３０および塔２４０のような複数のデバイス間の通信をサポートするように構成されうる。モバイル無線通信デバイス（例えば、１０６ａ，２１０，２２０）は、例えば、パーソナル・コンピュータ、ＰＤＡ、音楽プレーヤ、ビデオ・プレーヤ、マルチメディア・プレーヤ、テレビ、電子ゲーム・システム、デジタル・カメラ、ビデオ・カムコーダ、時計、リモート・コントロール、ヘッドフォン等を備えうる。アクセス端末１０６は、アクセス端末１０６において連結された１または複数の送信機によって、デバイス２１０，２２０，２３０，２４０のおのおのと同時に通信しうる。
【００２７】
図２への参照を続けると、アクセス端末１０６は、さまざまな通信チャネルを介して他の無線通信デバイス（例えば、２１０，２２０）と通信しうる。通信チャネルは、当該技術において周知であるような超広帯域（ＵＷＢ）チャネル、ブルートゥース（登録商標）チャネル、８０２．１１チャネル（例えば、８０２．１１ａ，８０２．１１ｂ，８０２．１１ｇ，８０２．１１ｎ）、赤外線（ＩＲ）チャネル、ＺｉｇＢｅｅ（登録商標）（８０２．１５）チャネル、またはその他のさまざまなチャネルを備えうる。１つの実施形態では、チャネルは、ＥＣＭＡ−３６８規格に準拠するＵＷＢチャネルでありうる。その他のチャネルも同様に可能であると容易に認識されるだろう。
【００２８】
無線通信ネットワーク２００は、住居、事務所、またはビルディング群のような物理的なエリアをカバーする無線ローカル・エリア・ネットワーク（ＷＬＡＮ）を備えうる。ＷＬＡＮは、例えば８０２．１１規格（例えば、８０２．１１ｇ）のような規格、および／または、無線通信のためのその他の規格を用いうる。ＷＬＡＮは、無線通信デバイスが互いにダイレクトに通信するピア・トゥ・ピア通信を用いうる。無線通信ネットワーク２００はまた、例えば、数メートルのエリアにおよぶ無線パーソナル・エリア・ネットワーク（ＷＰＡＮ）を備えうる。ＷＰＡＮは、例えば赤外線、ブルートゥース、ＷｉＭｅｄｉａベースのＵＷＢ規格（例えば、ＥＣＭＡ−３６８）、Ｚｉｇｂｅｅ（登録商標）規格、および／または、無線通信のためのその他の規格のような規格を使用しうる。ＷＰＡＮは、無線通信デバイスが互いにダイレクトに通信するピア・トゥ・ピア通信を使用しうる。無線通信ネットワーク２００はまた、ワイド無線エリア・ネットワーク（ＷＷＡＮ）を備えうる。ＷＷＡＮは、例えばｃｄｍａ２０００  １ｘ，１ｘ−ＥＶ−ＤＯ，ＬＴＥ，ｅＨＲＰＤ等のような規格を使用しうる。アクセス端末１０６は、ネットワーク２００を介して、例えば無線通信ネットワークまたはインターネットのような他のネットワークに接続しうる。無線通信ネットワーク２００を介して送信されるメッセージは、以下により詳細に記載されるように、（例えば、音声サービス、データ・サービス、マルチメディア・サービス等のような）さまざまなタイプの通信に関連する情報を備え、アクセス端末１０６のユーザに対する重要度が変動しうる。
【００２９】
以下の実施形態は、図１または図２を参照しうるが、当業者であれば、これらは他の通信規格に容易に適用可能であることを認識するだろう。例えば、１つの実施形態は、ＵＭＴＳ通信システムにおいて適用可能でありうる。いくつかの実施形態は、ＯＦＤＭＡ通信システムにおいて適用可能でありうる。この通信システム２００はさらに、限定される訳ではないが、符号分割多元接続（ＣＤＭＡ）システム、グローバル移動体通信システム（ＧＳＭ）、広帯域符号分割多元接続（ＷＣＤＭＡ（登録商標））、およびＯＦＤＭシステムを含む任意のタイプの通信システムを備えうる。
【００３０】
図３は、いくつかの実施形態にしたがう、図１および図２に図示された典型的なアクセス端末１０６の機能ブロック図の例を示す。アクセス端末１０６は、例えば、図１および図２に関して前述されたラジオ技法のうちの何れかのような異なるラジオ・アクセス技法（ＲＡＴ）を用いて動作することが可能な、マルチモードでありうる。アクセス端末１０６は、本明細書で説明されるさまざまな方法を実施するように構成されうるデバイスの例である。アクセス端末１０６は、図１−図２に例示されたデバイスのうちの何れかを実施しうる。
【００３１】
アクセス端末１０６は、いくつかの回路をともにリンクする中央データ・バス３１７を含む。これら回路は、例えばモジュール３０２ａ，３０２ｂ，３０２ｃ，３０２ｄのようなさまざまなラジオ・アクセス技法モジュールを含みうるＲＡＴ回路３０４、メモリ・ユニット３０８、およびコントローラ／プロセッサ３２０を含む。プロセッサ／コントローラ３２０は、１または複数のプロセッサで実現される処理システムの構成要素でありうるか、これら構成要素を備えうる。プロセッサ／コントローラ３２０は、いくつかの実施形態において、アプリケーション・プロセッサ３２０として構成されうるか、または、アプリケーション・プロセッサ３２０と称されうる。１または複数のプロセッサは、汎用マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、コントローラ、ステート・マシン、ゲート・ロジック、ディスクリート・ハードウェア構成要素、専用ハードウェア有限ステート・マシン、または情報の計算またはその他の操作を実行できうるその他任意の適切なエンティティ、からなる任意の組み合わせを用いて実現されうる。
【００３２】
さらに、プロセッサ／コントローラ３２０は、異なるラジオ・アクセス技術（ＲＡＴ）のために構成されたさまざまなモジュールと通信し、これらさまざまなモジュールの動作を制御するように構成されうる。モジュール３０２ａ，３０２ｂ，３０２ｃ，３０２ｄのおのおのは、具体的なラジオ・アクセス技法を実施し、モジュールによって実施されるラジオ・アクセス技法タイプに適用可能な追加のメモリ・モジュール、通信構成要素、および機能を個別に含みうる。モジュール３０２ａ，３０２ｂ，３０２ｃ，３０２ｄおのおのはさらに、コントローラ３０６ａ，３０６ｂ，３０６ｃ，３０６ｄを含みうる。これらは、本明細書では、おのおののＲＡＴの動作を制御するために使用されうるモデム・プロセッサ３０６ａ，３０６ｂ，３０６ｃ，３０６ｄとも称されうる。参照を容易にするために、コントローラ３０６ａ，３０６ｂ，３０６ｃ，３０６ｄは、以降、ＲＡＴコントローラ３０６と称されうる。さらに、ＲＡＴコントローラ３０６ａ，３０６ｂ，３０６ｃ，３０６ｄは、モジュール３０２ａ，３０２ｂ，３０２ｃ，３０２ｄを制御するため、各モジュール３０２ａ，３０２ｂ，３０２ｃ，３０２ｄと独立して提供されうる。いくつかの実施形態では、プロセッサ３２０は、ＲＡＴコントローラ３０６の機能を実行するように構成されうる。さらに、おのおののＲＡＴは、アンテナ（単数または複数）（図示せず）を含む自身のトランシーバ（単数または複数）を含みうる。ＲＡＴモジュールは、図１−図２を参照して前述されたＲＡＴタイプのうちの何れか、または、その他の容易に認識可能なＲＡＴタイプを実施しうる。
【００３３】
アクセス端末１０６はさらに、１または複数の送信回路３３０ａ，３３０ｂ，３３０ｎを備える。送信回路３３０ａ，３３０ｂ，３３０ｎはまた、アンテナ３７０ａを介して無線通信を送信するように構成された１または複数の構成要素を有する送信チェーンとして称されうる。例えば、送信回路３３０ａは、変調器（図示せず）、デジタル・アナログ（Ｄ／Ａ）コンバータ（図示せず）、増幅器（図示せず）のみならず、アンテナ３７０ａを介した送信のため無線通信信号を変調および準備するためのその他の回路を含みうる。いくつかのケースでは、ＲＡＴ回路３０４は、送信回路３３０ａ，３３０ｂ，３３０ｎを含みうる。ここで、おのおののＲＡＴモジュール３０２ａ，３０２ｂ，３０２ｃ，３０２ｄは、送信回路３３０ａ，３３０ｂ，３３０ｎのうちの１つを含みうる。それゆえ、送信回路３３０ａ，３３０ｂ，３３０ｎは、ＲＡＴモジュール３０２ａ，３０２ｂ，３０２ｃ，３０２ｄのうちの１つに関連付けられたラジオ・アクセス技法にしたがって送信するように構成されうる。いくつかのケースでは、アクセス端末１０６が、１つの送信回路３３０ａを有しうる。他のケースでは、送信回路３３０ａ，３３０ｂ，３３０ｎのうちの１または複数が、アクティブ化または非アクティブ化されうる。１つの態様では、送信回路３３０ａは、ＲＡＴモジュール３０２ａ，３０２ｂ，３０２ｃ，３０２ｄのうちの１つに対して特定の構成要素を含みうる。例えば、ＲＡＴモジュール３０２ａは、ＯＦＤＭを用いて無線通信を実施しうる一方、第２のＲＡＴモジュール３０２ｂは、ＣＤＭＡを用いて無線通信を実施しうる。それゆえ、１つの送信回路３３０ａは、ＯＦＤＭ通信のために構成された構成要素を含みうる一方、第２の送信回路３３０ｂは、ＣＤＭＡ通信のために構成された構成要素を含みうる。
【００３４】
アクセス端末１０６はさらに、１または複数の受信回路３４０ａ，３４０ｂ，３４０ｎを備える。受信回路３４０ａ，３４０ｂ，３４０ｎはまた、アンテナ３７０ａを介して無線通信を受信するように構成された１または複数の構成要素を有する受信チェーンとも称されうる。例えば、受信回路３４０ａは、増幅器（図示せず）、アナログ・デジタル変換器（図示せず）、復調器（図示せず）のみならず、アンテナ３７０ａを介して無線通信信号を受信および復調するためのその他の回路をも含みうる。いくつかのケースでは、ＲＡＴ回路３０４は、受信回路３４０ａ，３４０ｂ，３４０ｎを含みうる。ここで、おのおののＲＡＴモジュール３０２ａ，３０２ｂ，３０２ｃ，３０２ｄは、受信回路３４０ａ，３４０ｂ，３４０ｎのうちの１つを含みうる。それゆえ、受信回路３４０ａ，３４０ｂ，３４０ｎのおのおのは、ＲＡＴモジュール３０２ａ，３０２ｂ，３０２ｃ，３０２ｄのうちの１つに関連付けられたラジオ・アクセス技法にしたがって受信するように構成されうる。いくつかのケースでは、アクセス端末１０６は、１つの受信回路３４０ａを有しうる。別のケースでは、受信回路３４０ａ，３４０ｂ，３４０ｎのうちの１または複数が、アクティブ化または非アクティブ化されうる。
【００３５】
送信回路３３０ａ，３３０ｂ，３３０ｎは、高周波数（ＨＦ）信号を処理し、ベースバンド信号に変換しうる。一方、受信回路３４０ａ，３４０ｂ，３４０ｎは、受信した信号を、データ・バス３１７へ送出する前に処理し、バッファしうる。送信回路３３０ａ，３３０ｂ，３３０ｎは、データ・バス３１７からのデータを、アクセス端末１０６へ送出する前に処理し、バッファしうる。プロセッサ／コントローラ３２０は、送信回路３３０ａ，３３０ｂ，３３０ｎおよび受信回路３４０ａ，３４０ｂ，３４０ｎのための異なる周波数帯域のための処理およびデータ・センシングのために、時間スロットを割り当てることによって、適切なタイミングを制御する。
【００３６】
送信回路３３０ａ，３３０ｂ，３３０ｎと受信回路３４０ａ，３４０ｂ，３４０ｎのおのおのはそれぞれ、いくつかのアンテナ３７０ａ，３７０ｂ，３７０ｎのうちの１つを介して送信および受信するように構成されうる。個々の送信回路３３０ａ，３３０ｂ，３３０ｎおよび受信回路３４０ａ，３４０ｂ，３４０ｎは、特定のアンテナ３７０ａ，３７０ｂまたは３７０ｎを介して、異なるラジオ・アクセス技法に関連付けられた情報を送信および受信しうる。例えば、音声とデータとの同時モードのために、１つの送信回路３３０ａが、アンテナ３７０ａを介して音声データを送信するために使用されうる一方、別の送信回路３３０ｂが、アンテナ３７０ｂを介して非音声データを送信するために使用されうる。別の方式で述べると、第１の送信回路３３０ａは、アンテナ３７０ａを介して１ｘ音声データを送信および受信するために使用されうる一方、第２の送信回路３３０ｂは、アンテナ３７０ｂを介してデータ・オンリー（ＤＯ）ＬＴＥのために使用されうる。プロセッサ／コントローラ３２０は、アンテナ３７０ａ，３７０ｂ，３７０ｎを介して、別の周波数からの信号を検出するように、および／または、処理するように、複数の送信回路３３０ａ，３３０ｂ，３３０ｎおよび受信回路３４０ａ，３４０ｂ，３４０ｎに対して指示する。アンテナ３７０ａ，３７０ｂ，３７０ｎは、アクセス端末１０６内の異なる物理的な位置に配置されうる。例えば、アンテナ３７０ａ，３７０ｂ，３７０ｎは、アクセス端末１０６の反対側（例えば、末端の）終点またはコーナにあるか、または、互いに隣接しうる。一般に、アンテナ３７０ａ，３７０ｂ，３７０ｎは、所望されるように、または、デバイス設計にしたがって、同じような場所または異なる場所に配置されうる。
【００３７】
送信回路３３０ａ，３３０ｂ，３３０ｎまたは受信回路３４０ａ，３４０ｂ，３４０ｎが送信または受信するように構成されたアンテナ３７０ａ，３７０ｂ，３７０ｎを、コントローラ３２０が選択できるようにするために、スイッチ回路３６０が提供されうる。スイッチ回路３６０は、送信回路３３０ａ，３３０ｂ，３３０ｎおよび受信回路３４０ａ，３４０ｂ，３４０ｎに対応するＭ個の入力を、アンテナ３７０ａ，３７０ｂ，３７０ｎに対応するＮ個の出力へ切り換えるように構成された回路を含みうる。図３に図示されるように、３つの送信回路３３０ａ，３３０ｂ，３３０ｎ、３つの受信回路３４０ａ，３４０ｂ，３４０ｎ、および３つのアンテナ３７０ａ，３７０ｂ，３７０ｎよりも多いことも、または、少ないこともありうる。一例として、スイッチ回路３６０は、クロスバー・スイッチ、または、その他の適切なスイッチ回路として構成されうる。
【００３８】
コントローラ３２０は、送信回路３３０ａ，３３０ｂ，３３０ｎおよび受信回路３４０ａ，３４０ｂ，３４０ｎをそれぞれ、アンテナ３７０ａ，３７０ｂ，３７０ｎからなる任意の組み合わせによって送信および受信するように切り換えるように構成されうる。
【００３９】
いくつかの実施形態では、送信回路３３０ａ，３３０ｂ，３３０ｎは、例えば外部モデムのように、アクセス端末１０６にプラグイン可能な外部回路として実施されうる。
【００４０】
プロセッサ／コントローラ３２０は、データ・バス３１７のデータ管理の機能と、メモリ・ユニット３０８の命令内容を実行することを含む一般的なデータ処理の機能とを実行する。メモリ・ユニット３０８は、モジュールおよび／または命令群のセットを含みうる。以下に記載される実施形態において図示および説明されているようなアクセス端末１０６の処理ステップに対する特定の命令群は、メモリ・ユニット３０８の内容に含まれるさまざまな機能でコード化されうる。１つの実施形態では、メモリ・ユニット３０８はＲＡＭ（ランダム・アクセス・メモリ）回路である。例えばハンドオフ機能のようないくつかの通信デバイス機能は、ソフトウェア・ルーチン、モジュール、および／または、データ・セットである。メモリ・ユニット３０８は、揮発性タイプまたは不揮発性タイプの何れかでありうる別のメモリ回路（図示せず）に結び付けられうる。代案として、メモリ・ユニット３０８は、例えば、ＥＥＰＲＯＭ（電気的に消去可能なプログラマブル読取専用メモリ）、ＥＰＲＯＭ（電気的にプログラム可能な読取専用メモリ）、ＲＯＭ（読取専用メモリ）、ＡＳＩＣ（特定用途向け集積回路）、磁気ディスク、光ディスク、および、当該技術において周知であるその他のような異なる回路タイプからなりうる。さらに、メモリ・ユニット３０８は、揮発性タイプおよび／または不揮発性タイプであるメモリ回路およびＡＳＩＣの組み合わせでありうる。
【００４１】
アクセス端末１０６はさらに、デバイス状態センサ３５０を含みうる。デバイス状態センサは、デバイスがどのように使用され、取り扱われ、および／または配置されるかにしたがって、デバイスの１または複数の状態またはモードを検出するように構成されうる。例えば、デバイス状態センサ３５０は、アクセス端末１０６に対するユーザまたはその他の物体の近接度を検出するように構成されうる近接度センサとして構成されうる。１つの実施形態では、デバイス状態センサ３５０は、複数の近接度センサを含む。複数の近接度センサのおのおのは、アンテナ３７０ａ，３７０ｂ，３７０ｎに隣接して配置される。複数の近接度センサのおのおのは、物体が、それぞれのアンテナ３７０ａ，３７０ｂ，３７０ｎに近接しているか（例えば、ブロックしているか）否かを検出するように構成される。デバイス状態センサ３５０はさらに、アクセス端末１０６のユーザに対するアクセス端末１０６の方位を検出するように構成された例えば加速度計のような方位センサを含みうるか、および／または、このような方位センサとして構成されうる。デバイス状態センサ３５０はさらに、アクセス端末１０６の一時的な状況または状態を検出するためのその他のタイプのセンサを含みうるか、および／または、このようなセンサとして構成されうる。１つの機能ブロックとして図示されているが、異なるタイプの複数のデバイス状態センサが含まれうる。デバイス状態センサ３５０からのフィードバックは、アクセス端末１０６の特定の動作モードを示しうる。
【００４２】
本明細書および特許請求の範囲では、用語「回路」は、構成的な用語であって機能的な用語ではないと解釈されることが明確であるべきである。例えば、回路は、図３に図示および記載されているように、処理セルおよび／またはメモリ・セル、モジュール、ユニット、ブロック等の形態で、例えば複数の集積回路構成要素のような回路構成要素の集合でありうる。
【００４３】
個別に記載されているが、アクセス端末１０６に関して記載されている機能ブロックは、個別の構造要素である必要はないことが認識されるべきである。例えば、プロセッサ３２０、メモリ・ユニット３０８、およびＲＡＴモジュール３０２ａ，３０２ｂ，３０２ｃ，３０２ｄが、単一のチップ内に組み込まれうる。プロセッサ３２０は、さらに、または、代案において、例えばプロセッサ・レジスタのようなメモリを含みうる。同様に、機能ブロックのうちの１または複数、または、さまざまなブロックの機能の一部が、単一のチップに組み込まれうる。あるいは、特定のブロックの機能が、２または３以上のチップに実装されうる。
【００４４】
図４は、いくつかの実施形態にしたがう、図３に図示されているアクセス端末１０６の一部を示す機能ブロック図である。図４に示すように、いくつかのケースでは、１つの送信回路３３０だけがアクティブでありうる。言い換えれば、アクセス端末１０６は、単一の送信回路３３０を用いるように構成されたモードにありうる。いくつかのケースでは、このモードは、アクティブである単一のＲＡＴモジュール３０２ａ，３０２ｂ，３０２ｃ，３０２ｄに対応しうる。図４に図示されるように、コントローラ３２０は、第１のアンテナ３７０ａまたは第２のアンテナ３７０ｂの何れかを介して通信するように、送信回路３３０を切り換えるように構成されうる。さらに、受信回路３４０ａは、送信回路３３０によって使用されるものと同じアンテナ３７０ａまたは３７０ｂを介して通信するように構成されているという点において、送信回路３３０に関連付けられうる。それゆえ、コントローラ３２０は、それぞれ第１のアンテナ３７０ａまたは第２のアンテナ３７０ｂを介して送信および受信するように送信回路３３０および受信回路３４０ａを切り換えるように構成されうる。別の方式で述べると、第１の受信回路３４０ａは、送信回路３３０とともに切り換えられるように構成される。さらに、第２の受信回路３４０ｂは、送信回路３３０および第１の受信回路３４０ａのために使用されていないアンテナ３７０ａまたは３７０ｂのうちの何れかを介して通信するように構成されうる。第１の受信回路３４０ａおよび第２の受信回路３４０ｂは、受信電力レベルを測定するように構成された測定回路３４２ａ，３４２ｂを含みうる。一例として、測定回路３４２ａ，３４２ｂは、受信自動利得制御（ＡＧＣ）測定値を収集するように構成されうる。
【００４５】
前述したように、複数の送信回路３３０ａ，３３０ｂ，３３０ｃは、複数のアンテナ３７０ａ，３７０ｂ，３７０ｎを用いて同時に送信しうる。しかしながら、アンテナ３７０ｂのパフォーマンスは、限定される訳ではないが、アクセス端末１０６におけるアンテナの配置、アンテナ３７０ａ，３７０ｂ，３７０ｃに対する外部の物体の近接度、または、固有のアンテナ特性に関連する多くの要因のうちの何れか１つに基づいて、別のアンテナ３７０ｂよりも良好でありうる。さらに、動作中、いくつかの送信回路３３０ａ，３３０ｂ，３３０ｃは、異なるデータ送信優先度または送信電力優先権を有しうる。本明細書に記載されたさまざまな実施形態のいくつかの態様は、アクセス端末１０６のパフォーマンスを向上するために、異なるアンテナ３７０ａ，３７０ｂ，３７０ｎを介して送信するように送信回路３３０ａ，３３０ｂ，３３０ｃを切り換えることに向けられている。例えば、優先度の最も高いデータを送信する送信回路３３０ａが、最高のパフォーマンスを有するアンテナ３７０ａを介して送信することが所望されうる。さらに、送信回路３３０ａが、最高のパフォーマンスを有するアンテナ３３０ｂに接続されているのであれば、その他の送信回路電力要件が、向上されたパフォーマンスとなりうる。アクセス端末１０６の動作は、アンテナ・パフォーマンスに影響を与えうるので、本明細書に記載された実施形態によって提供されるように、送信回路３３０ａ，３３０ｂ，３３０ｃをアンテナ３７０ａ，３７０ｂ，３７０ｎに結合するための動的なシステムおよび方法を有することが所望されうる。
【００４６】
図３および図４に示すように、いくつかの動作状況は、アンテナ３７０ａ，３７０ｂ，３７０ｎのうちの１または複数が感知されないという結果になりうるか、または、パフォーマンスが低減されるという結果になりうる。例えば、アクセス端末１０６の周囲を覆うユーザの手は、アンテナ３７０ａ，３７０ｂ，３７０ｎのうちの１または複数を効果的に遮りうる。または、アンテナ３７０ａ，３７０ｂ，３７０ｎが、理想的よりも劣る受信条件において動作するように、アクセス端末１０６が配置されうる。これらのシナリオは、受信した信号の電力レベルを下げうるので、もって、信号の受信および復調をより困難にする。アンテナ３７０ａ，３７０ｂ，３７０ｎのうちの１または複数を遮ることはまた、送信回路３３０ａ，３３０ｂ，３３０ｎが電力レベルを高める必要がありうるように合計信号強度を低減しうる。しかしながら、増加した送信電力レベルに関して、アクセス端末１０６は、規制ラジオ周波数（ＲＦ）安全要件に従いうる。アクセス端末１０６は、市場に投入される前に、特定のガイドライン内で動作することが要求されうる。例えば、人体の近くで動作するデバイスは、これらの電磁波がもたらす特有吸収率（“ＳＡＲ”（Specific Absorption Rate））を決定するために評価される。ＳＡＲは、損失媒体における質量単位毎の電磁気エネルギ吸収の時間レートであり、以下のように表現されうる。  
【数１】
2015521006.tif 000003
【００４７】
ここで、Ｅ（ｒ）は、ポイントｒにおける外部電場であり、σ（ｒ）およびρ（ｒ）はそれぞれ、対応する等価電導度および質量密度である。１つの態様では、これらの安全ガイドラインは、送信電力レベルの量を制限しうる。
【００４８】
一般に、ＳＡＲ試験は、単一または複数の送信機を有するこのようなデバイスから、体内に吸収されたエネルギ量を評価する。１つの要件の下では、２０ｃｍを超える距離で動作するデバイスは、最大許容線量（“ＭＰＥ”）計算または測定によって評価されうる。それゆえ、１または複数のアンテナ３７０ａ，３７０ｂ，３７０ｎが人間の手またはその他の体の部分で遮られた場合、ＳＡＲ制限を超えることを回避するために許容される最大送信電力レベルが著しく低減されうる。
【００４９】
ユーザまたはその他の物体に対するアクセス端末１０６の位置に依存するその他の動作条件は、アンテナを遮ることによってさらにパフォーマンスを低下させうる。さらに、（例えば、ホット・スポットとしてアクセス端末１０６を用いる）いくつかの動作モードは、増加された電力レベルを必要としうる。これはさらに、規則制限にインパクトを与えうる。
【００５０】
その他の要因に加えたさまざまな条件を考慮するために、本明細書に記載された、いくつかの実施形態のいくつかの態様は、複数のラジオ・アクセス技法を用いた同時通信および異なる動作モードのアクセス端末１０６パフォーマンスを最大化するために、送信アンテナ選択ダイバーシティを提供することに向けられる。１つの実施形態では、これは、手／体によって遮られることを緩和しうる。そして、パフォーマンスに対する最小コストで規制制限を満足し、良好な受信条件を可能にする方式で、アンテナを選択することを可能にする。さらに、１つの態様では、送信アンテナ選択ダイバーシティはさらに、干渉問題を緩和するために提供されうる。別の方式で述べると、実施形態は、最少の送信電力量で、目標サービス品質を提供するために、送信アンテナ選択ダイバーシティを提供することに向けられうる。
【００５１】
１つの実施形態によれば、コントローラ３２０は、以下にさらに記載されるように、送信回路３３０ａ，３３０ｂ，３３０ｎとアンテナ３７０ａ，３７０ｂ，３７０ｎとの間のマッピングを動的に決定するための自律的な選択を実行するように構成されうる。別の実施形態では、以下にさらに記載されるように、送信回路３３０ａ，３３０ｂ，３３０ｎとアンテナ３７０ａ，３７０ｂ，３７０ｎとの間の、事前に決定されたマッピングが存在しうる。
【００５２】
図３を参照して、複数のＲＡＴにしたがう複数の送信回路３３０ａ，３３０ｂ，３３０ｎによる送信のケースにおいて、送信回路３３０ａ，３３０ｂ，３３０ｎとアンテナ３７０ａ，３７０ｂ，３７０ｎとの間のマッピングが提供されうる。アンテナ３７０ａ，３７０ｂ，３７０ｎのためのマッピングは、前述したように、アクセス端末１０６のある動作モードに依存しうる。動作モードは、例えば、アクセス端末１０６へのユーザの近接度に対応しうる。同様に、動作モードは、デバイスの、検出された方位に対応しうる。前述もしたように、動作モードは、例えばアクセス端末１０６をモバイル・ホットスポットとして用いることのように、アクセス端末１０６の、ある通信機能が、アクティブ化されているか否かに対応しうる。さらに、前述した動作モードの任意の組み合わせが、別の動作モードにマップしうる。例えば、ユーザが電話呼出でアクセス端末１０６を使って、ユーザの耳の横に電話を置いている間、アクセス端末１０６ａのモバイル・ホットスポットが同時にアクティブ化されうる。前述した動作モードは典型的である。アンテナおよび／またはデバイスのパフォーマンスに影響を与えうるその他任意の動作モードが検出されうる。そして、別のアンテナ３７０ａ，３７０ｂ，３７０ｎを別の送信回路３３０ａ，３３０ｂ，３３０ｎにマップするために使用されうる。前述したように、デバイス状態センサ３５０は、アンテナ３７０ａ，３７０ｂ，３７０ｎのおのおのの隣に位置する近接度センサを含みうる。動作モードは、近接度センサからの状態情報を用いて、アンテナ３７０ａ，３７０ｂ，３７０ｎのうちのどれが遮られているかに基づきうる。１つの実施形態では、近接度センサは、容量性近接センサでありうる。
【００５３】
異なる動作モードを管理するために、決定された数の動作モード・インデクスが、アクセス端末１０６の動作モードのために定義されうる。おのおののインデクスは、デバイス状態インデクス（ＤＳＩ）として記載されうる。おのおののＤＳＩは、いくつかの動作モード、または、アクセス端末１０６によって検出された動作モードの組み合わせに対応しうる。
【００５４】
送信回路３３０ａ，３３０ｂ，３３０ｎとアンテナ３７０ａ，３７０ｂ，３７０ｎとの間のマッピングはさらに、送信回路３３０ａ，３３０ｂ，３３０ｎのうちのどれがアクティブであるかに依存しうる。さらに、送信回路３３０ａ，３３０ｂ，３３０ｎは、第１の送信回路３３０ａが第２の送信回路３３０ｂに対して優先度を有するといった優先度スキームにしたがって動作しうる。おのおのの送信回路３３０ａの優先度は、例えば、送信されているデータのタイプに依存して、動作中に変動しうる。例えば、別の送信回路３３０ｂがデータのみを送信している期間中に、１つの送信回路３３０ａがたまたま音声データを送信するようになった場合、送信回路３３０ａは、この時間インタバル中、別の送信回路３３０ｂよりも高い優先度を割り当てられうる。別の時間インタバル中に、逆も生じうる。
【００５５】
したがって、送信回路３３０ａ，３３０ｂ，３３０ｎとアンテナ３７０ａ，３７０ｂ，３７０ｎとの間のマッピングは、さらに、どの送信回路３３０ａが優先度を有するかに依存しうる。例えば、最高の優先度を有する送信回路３３０ａは、最高のパフォーマンスを提供するであろうアンテナ３７０ａを用いて送信することができうる。このマッピングはさらに、（例えば、近接度センサが、アンテナ３７０ａが遮られているが、アンテナ３７０ｂが遮られていないことを示すのであれば、）検出された状態にしたがって、どのアンテナ３７０ａ，３７０ｂ，３７０ｎが遮られており、より良好に動作するのかを示す動作モード依存しうる。さらに、デバイス状態に依存して、送信回路３３０ａ，３３０ｂ，３３０ｎは、マッピングのために考慮されうるいくつかのアンテナ３７０ａ，３７０ｂ，３７０ｎのためのさまざまな優先権を有しうる。送信回路３３０ａ，３３０ｂ，３３０ｎは、特定のラジオ・アクセス技法に関連付けられうるので、ラジオ・アクセス技法タイプは、アンテナ３７０ａ，３７０ｂ，３７０ｎの優先度および優先権を決定しうることが認識されるべきである。
【００５６】
さらに、ラジオ・アクセス技法モジュール３０２に関連付けられているおのおのの送信回路３３０ａはそれぞれ、送信されたデータのタイプに基づいて、または、送信電力ニーズおよび安全規制に基づいて、異なるアンテナ３７０ａ，３７０ｂ，３７０ｎのための優先権を有しうる。それゆえ、送信回路３３０ａ，３３０ｂ，３３０ｎ間のマッピングはさらに、異なる動作モードのためのアンテナ優先権に依存しうる。
【００５７】
それゆえ、送信回路３３０ａ，３３０ｂ，３３０ｎとアンテナ３７０ａ，３７０ｂ，３７０ｎとの間のマッピングは、動作モード、アクティブな送信機の現在のセット、および、送信のための優先度に基づきうる。動作モード、送信回路優先度、およびアクティブな送信回路からなる可能な組み合わせのおのおのについて、送信回路３３０ａ，３３０ｂ，３３０ｎとアンテナ３７０ａ，３７０ｂ，３７０ｎとのマッピングが提供されうる。おのおのの組み合わせについてのマッピングが、例えばメモリ・ユニット３０８のようなメモリ内に格納されうる。それゆえ、動作モード、アクティブな送信回路３３０ａ，３３０ｂ，３３０ｎのセット、または、優先度スキームのうちの何れかにおける変化は、コントローラ３２０に対して、動作モード、優先度スキーム、および、アクティブな送信回路３３０ａ，３３０ｂ，３３０ｎの識別情報等の組み合わせに基づいた結果として得られる、予め格納されたマッピングを決定するようにトリガをかけうる。別の方式で述べると、１つの実施形態では、送信回路３３０ａ，３３０ｂ，３３０ｎとアンテナ３７０ａ，３７０ｂ，３７０ｎとの間の最適なマッピングを自律的に決定するのではなく、すべてのマッピングが、予め決定され、格納されうる。コントローラ３２０は、アクティブな送信回路３３０ａ，３３０ｂ，３３０ｎの現在のセット、送信回路３３０ａ，３３０ｂ，３３０ｎの送信優先度、および動作モードを検出した後、デバイスを切り換えるために、予め決定されたマッピングを使用する。１つの態様では、これは、送信回路３３０ａ，３３０ｂ，３３０ｃをアンテナ３７０ａ，３７０ｂ，３７０ｎへ切り換えるための自律的な手順を決定する必要性を回避しうる実施形態を可能にしうる。これは、向上したパフォーマンスと、現在の送信回路およびアンテナの数の増加に伴い自律的な決定を提供するために必要とされる複雑さの増加と比べて低減された複雑さと、を提供しうる。それゆえ、本明細書に記載された、いくつかの実施形態は、検出されたさまざまな動作条件に基づいて、送信回路３３０ａ，３３０ｂ，３３０ｎのアンテナ３７０ａ，３７０ｂ，３７０ｎへの予め定められたマッピングを考慮する。
【００５８】
図５は、いくつかの実施形態にしたがって、どの送信回路３３０ａ，３３０ｂ，３３０ｎがどのアンテナ３７０ａ，３７０ｂ，３７０ｎを介して送信するのかを選択するための典型的な方法の実施のフローチャートである。送信回路３３０ａ，３３０ｂ，３３０ｎを、異なるアンテナ３７０ａ，３７０ｂ，３７０ｎに切り換える必要性は、例えば、ブロック５０２，５０４，５０６に図示されるように、コントローラ３２０が、（例えば、デバイス状態インデクスの変化のような）動作モードの変化を示すインジケーション、アクティブな送信回路３３０ａ，３３０ｂ，３３０ｎの数およびセットの変化を示すインジケーション、および／または、送信回路優先度における変化を示すインジケーション、のうちの少なくとも１つを受信することに応じて決定／再評価されうる。コントローラ３２０が、変化を示すインジケーションを受信すると、ブロック５０８に図示されるように、動作モード、アクティブな送信回路３３０ａ，３３０ｂ，３３０ｎの識別情報、および送信回路優先度にしたがって、格納されたマッピングに基づいて、送信回路３３０ａ，３３０ｂ，３３０ｎを、選択されたアンテナ３７０ａ，３７０ｂ，３７０ｎを介して送信するように切り換える。おのおののマッピングは、アンテナ／送信回路パフォーマンスを最大化するように提供されうる。さらに、これらマッピングはさらに、いくつかのパフォーマンス特性に基づきうる。例えば、パフォーマンス特性は、複数の送信回路３３０ａ，３３０ｂ，３３０ｎのうちの少なくとも１つの送信電力レベル、複数のアンテナのうちの少なくとも２つのアンテナ３７０ａ，３７０ｂ間の干渉量、送信回路のうちの少なくとも１つの目標サービス品質レベル、または、これら送信回路のうちの少なくとも１つの送信電力レベルの規制要件のうちの１または複数、およびこれらの組み合わせを含みうる。
【００５９】
前述したように、マッピング・データまたは情報は、例えばメモリ・ユニット３０８のようなメモリに格納されうる。例えば、動作モード、優先度スキーム、およびアクティブな送信回路３３０ａ，３３０ｂ，３３０ｎからなるさまざまな組み合わせのためのルックアップ・テーブルが提供されうる。ブロック５１０では、動作モード、優先度、またはアクティブな送信回路３３０ａ，３３０ｂ，３３０ｎが変化することに応じて、送信回路３３０ａ，３３０ｂ，３３０ｎとアンテナ３７０ａ，３７０ｂ，３７０ｎとの間の切り換えが、マッピングに基づいて、必要とされているのであれば、コントローラ３２０は、決定されたマッピングに基づいて、対応するアンテナ３７０ａ，３７０ｂ，３７０ｎを介して通信するように送信回路３３０ａ，３３０ｂ，３３０ｎを切り換えうる。実施形態では、コントローラ３２０は、決定されたマッピングに基づいて、送信回路３３０ａ，３３０ｂ，３３０ｎを切り換えて、それぞれのアンテナ３７０ａ，３７０ｂ，３７０ｎに接続するように、切換回路３６０を制御しうる。
【００６０】
送信回路３３０ａ，３３０ｂ，３３０ｎとアンテナ３７０ａ，３７０ｂ，３７０ｎとの間の格納されたマッピングは、ユーザによる動作前に、デバイスの工業設計によって決定されうる。例えば、このマッピングは、デバイスに関して選択されたアンテナ３７０ａ，３７０ｂ，３７０ｎの空間的な構成、または、ユーザに対するデバイス／アンテナ３７０ａ，３７０ｂ，３７０ｎの配置によって決定されうる。さらに、このマッピングは、アンテナ３７０ａ，３７０ｂ，３７０ｎの特性に基づきうる。例えば、これら特性は、アンテナ３７０ａ，３７０ｂ，３７０ｎの異なる効率および／または放射パフォーマンスを含みうる。マッピングはさらに、例えば、音声のみ、データのみ、または音声およびデータの同時のような無線広域ネットワーク（ＷＷＡＮ）シナリオに基づきうる。さらに、データよりも高い優先度を有する音声のような優先度もまた、マッピングを決定するために使用されうる。マッピングの一部は、ランタイム以前に決定されるので、動的マッピング・スキームの複雑さが低減されうる。
【００６１】
予め設定されたマッピングは、異なるさまざまな動作条件の組み合わせを考慮しうる。一例として、ＲＡＴモジュール３０２ａに関連付けられた送信回路３３０ａ，３３０ｂ，３３０ｎのためのアンテナ３７０ａ，３７０ｂ，３７０ｎを選択するために予め決定されたマッピングは、２つのアンテナ３７０ａ，３７０ｂのうちの１つが遮られる（例えば、近接度センサによって検出される）事前にテストされたシナリオに基づき、デバイスは、音声と、データよりも高い優先度を有する音声を持つデータとを同時に実行する。ここでは、アンテナが、音声とデータとの両方をサポートする。予め決定されたマッピングは、音声データは、遮られていないアンテナ３７０ａを使用し、非音声データは、アンテナ３７０ｂを使用することを示すであろう。このマッピングは、コントローラ３２０がこの条件を検出することに基づいてトリガされるだろう。
【００６２】
マッピングが設定されると、アンテナ３７０ａ，３７０ｂ，３７０ｎのおのおのの送信電力制限が決定されうる。送信電力制限は、その他の理由のため、または所望に応じて、ＳＡＲコンプライアンスを達成するために、マッピングのおのおのの組み合わせにために提供されうる。以下にさらに詳細に記載されるように、ＲＡＴのおのおのの特定の構成は、異なる送信電力制限を決定しうる。それゆえ、ブロック５１２では、コントローラ３２０は、動作モード、使用されているアンテナ、および／または、特定のＲＡＴ構成に基づいて、おのおののＲＡＴおよび対応する送信回路３３０ａ，３３０ｂ，３３０ｎの電力送信制限を取得しうる。１つの態様では、おのおののＲＡＴモジュール３０２ａ，３０２ｂ，３０２ｃ，３０２ｄのコントローラ３０６は、特定のＲＡＴの電力送信制限を取得しうる。ブロック５１４では、コントローラ３２０（または、おのおののＲＡＴ３０６のコントローラ）は、送信電力制限にしたがって、電力送信電レベルを調節しうる。
【００６３】
図５のブロック５１２，５１４によれば、いくつかの実施形態において、アクセス端末１０６は、動作モード、使用されているアンテナ、および、使用されているＲＡＴの現在の状態に基づいて、送信電力制限を指定するルックアップ・テーブル（ＬＵＴ）に対するインデクスとして、ＤＳＩによって示される動作モードを提供しうる。例えば、送信電力制限は、ＲＡＴのいくつかのチャネルについての、おのおののＲＡＴタイプ、使用されているアンテナ３７０ａ，３７０ｂ，３７０ｎ、ＲＡＴタイプのおのおのの帯域クラス、ＲＡＴのおのおのの構成（例えば、変調タイプ）等に基づいて、おのおののＤＳＩについて決定されうる。さらに、類似のマッピングが、出願人の係属中の、２０１２年３月２日出願の特定の吸収率レート・コンプライアンスのための動的な送信電力制限バック・オフのためのシステムおよび方法（SYSTEMS AND METHODS FOR DYNAMIC TRANSMISSION POWER LIMIT BACK-OFF FOR SPECIFIC ABSORPTION RATE COMPLIANCE）と題された特許出願１３／４１１，３９２号に記載されている。これは、その全体が参照によって本明細書に組み込まれている。電力送信制限は、前述された係属中の出願に記載されているものに加えてさらに、使用されているアンテナ３７０ａ，３７０ｂ，３７０ｎに依存しうる。
【００６４】
例えば、図６は、いくつかの実施形態にしたがって、デバイス状態毎に提供される可能な異なる送信電力レベルの例を提供するための、異なるＲＡＴタイプのための異なるグループのＬＵＴの例を示す。図６では、ブロック６０２において、おのおののＲＡＴおよび対応する送信回路３３０ａ，３３０ｂ，３３０ｎのためのＬＵＴに、デバイス状態インデクスが提供される。ブロック６２０において、ＬＵＴ６０４のグループは、第１のＲＡＴ／送信回路３３０ａ，３３０ｂ，３３０ｎに関連付けられた電力送信レベルに対応する。さらに、ブロック６０６ａ，６０６ｂに図示されるように、特定のＲＡＴ／送信回路３３０ａ，３３０ｂ，３３０ｎのおのおののアンテナ３７０ａ，３７０ｂ，３７０ｎのＬＵＴのグループが提供される。さらに、ブロック６０８ａ，６０８ｂに図示されるように、おのおののアンテナ３７０ａ，３７０ｂ，３７０ｎおよびＲＡＴの帯域クラス毎のＬＵＴのグループが提供される。さらに、図６に図示される例では、ブロック６１０ａ−６１０ｄに図示されるようにＲＡＴのおのおのの帯域クラスのおのおののアップリンク・チャネルについてＬＵＴが提供される。アクセス端末１０６がサポートしうる、任意の数のＲＡＴ技法タイプのためにＬＴＥが提供される。ブロック６３０では、ＬＵＴ６１２のグループは、ＲＡＴ  Ｘ／送信回路Ｘに関連付けられた電力送信レベルに対応する。ブロック６１４に図示されるように、ＲＡＴ  Ｘ／送信回路Ｘのために、おのおののアンテナ３７０ａ，３７０ｂ，３７０ｎのＬＵＴのグループがさらに提供される。ブロック６１６ａ，６１６ｂに図示されるように、ＲＡＴ  Ｘの帯域クラス毎のＬＵＴのグループがさらに提供される。さらに、その後、ＲＡＴのおのおのの帯域クラスのおのおののアップリンク・チャネルのためにＬＵＴが提供されうる。さらに、ＬＵＴに対応するその他多くの通信パラメータ／特性が提供されうる。例えば、その他の特性は、以下にさらに詳しく説明されるように、変調タイプ、送信状態（例えば、トラフィック対システム・アクセス）、アップリンク・チャネル、呼出タイプ等を含みうる。さらに、ＲＡＴのおのおののタイプは、おのおののＲＡＴ対応に特有の属性および特性にしたがって、それより多くのまたはそれより少ないＬＵＴを有しうる。また、その他の通信特性／パラメータは、以下にさらに詳細に記載されるように、当業者によって決定されうる対応するＬＵＴを有しうる。
【００６５】
図７Ａ−７Ｂは、デバイス状態インデクスにしたがって送信電力制限を決定するために使用されうる２つの典型的なルックアップ・テーブル７００ａ，７００ｂの例を図示する。図７Ａは、（異なる動作モードに対応する）９つの可能なデバイス状態インデクス値に対応するＬＵＴ７００ａを図示する例を示す。これらのおのおのは、いくつかの態様にしたがって、異なる送信電力制限に関連付けられている。図７ＡにおけるＬＵＴ７００ａは、所与のＲＡＴ、アンテナ、帯域クラス、コンフィギュレーション、ＲＡＴ送信状態、呼出タイプ、およびデバイス・モードのためのＬＵＴ７００ａに対応しうる。所与のＲＡＴ、アンテナ、帯域クラス、コンフィギュレーション、ＲＡＴ送信状態、呼出タイプ、デバイス・モード、または、例えば温度のように送信電力に影響を与えるその他任意の特性のおのおのの組み合わせが、異なる値を持つ異なるＬＵＴ７００ａに対応しうる。さらに、ゼロであるＤＳＩは、デフォルトの送信電力制限に対応しうる。それゆえ、ＤＳＩ  １−８のみが、プロセッサ３２０によって選択可能でありうる。図７Ａに図示されるように、おのおののＤＳＩによって指定される送信電力制限は、ＤＳＩ値が増加すると線形的に減少する。図７Ｂは、前述した通信パラメータ／特性の組み合わせにしたがって指定されうるさまざまな送信電力制限を示す９つの可能なＤＳＩ値に対応するＬＵＴ７００ｂの別の例を与える。ＬＵＴ７００ａ，７００ｂは、おのおののＲＡＴモードおよびその他のデバイス・モードの特性にしたがって、利用可能な送信電力制限に特定の範囲を選択する際の柔軟性を可能にしうる。ＬＵＴ７００ａ，７００ｂのおのおの、または、本明細書に記載されたＬＵＴのおのおのは、メモリ・ユニット３０８に格納されうる。ＬＵＴ７００ａ，７００ｂ、または、本明細書に記載されたＬＵＴのうちの何れかは、おのおののＲＡＴのチップに位置するメモリ・ユニット３０８に格納されうるか、または、異なるＲＡＴタイプを制御するように構成された単一のチップに位置されうる。
【００６６】
１つの実施形態によれば、ＬＵＴは、おのおののＲＡＴタイプのさまざまな通信特性／パラメータにしたがって、おのおののＤＳＩに関連付けられた送信電力制限を決定するために提供されうる。図８は、いくつかの実施形態にしたがって、所与のラジオ・アクセス技法タイプ、アンテナ、帯域クラス、コンフィギュレーション、およびアップリンク・チャネルのための送信電力制限を決定するためのルックアップ・テーブル８００の一部の例を提供する。さらに、図８は、おのおののＤＳＩのための異なる送信電力制限設定のために可能な組み合わせの別の例を提供する。図８におけるＬＵＴ８００のおのおのの行は、可能な通信パラメータ／特性の異なる組み合わせに対応し、おのおののＤＳＩの送信電力制限を示す。したがって、送信電力制限は、図８に図示される列見出しの任意の組み合わせに基づきうる。
【００６７】
いくつかの実施形態によれば、オリジナル機器製造者（ＯＥＭ）またはその他のパーティは、デバイスの動作モードに基づいて、所望の送信電力制限を備えたテーブルを供給する機能を有しうる。これによって、例えば、ＯＥＭは、ＤＳＩに対応する送信電力制限を備えたテーブルを提供することが可能となりうる。ＯＥＭによってテーブルが提供されることを許可することによって、ＯＥＭは、ＲＡＴによってサポートされている送信電力制限よりも高い送信電力制限を指定することを試みるようになりうる。
【００６８】
コントローラ３２０は、送信回路３３０ａ，３３０ｂ，３３０ｎを適切に管理するために、アンテナ３７０ａ，３７０ｂ，３７０ｎのおのおののための送信電力制限をキャプチャするように構成されうる。
【００６９】
それゆえ、前述したように、対応する動的な送信電力制限を伴う、送信回路３３０ａ，３３０ｂ，３３０ｎとアンテナ３７０ａ，３７０ｂ，３７０ｎとの間のマッピングが、複数のＲＡＴタイプについて提供されうる。例えば、本明細書に記載された実施形態は、例えば、１ｘ、ＤＯ、ＧＳＭ（およびＥＤＧＥ／ＧＰＲＳ）、ＷＣＤＭＡ／ＵＭＴＳ（およびＨＳＰＡ／ＨＳＰＡ＋）、ＬＴＥ（ＦＤＤおよびＴＤＤ）、ＴＤ−ＳＣＤＭＡ、ＷＬＡＮ等と連携して使用されうる。さらに、動的な送信電力制限と、おのおののＲＡＴにしたがって送信している送信回路３３０ａ，３３０ｂ，３３０ｎとアンテナ３７０ａ，３７０ｂ，３７０ｎとの間のマッピングとが、さまざまな同時ＲＡＴ送信のためにサポートされうる。例えば、１ｘ＋ＤＯ、１ｘ＋ＬＴＥ、１ｘ＋ＷＬＡＮ、ＤＯ＋ＷＬＡＮ、ＧＳＭ＋ＷＬＡＮ、ＷＣＤＭＡ／ＵＭＴＳ＋ＷＬＡＮ、ＬＴＥ＋ＷＬＡＮ、ＴＤ−ＳＣＤＭＡ＋ＷＬＡＮ、１ｘ＋ＤＯ＋ＷＬＡＮ、１ｘ＋ＬＴＥ＋ＷＬＡＮ、ＧＳＭ＋ＬＴＥ、ＧＳＭ＋ＬＴＥ＋ＷＬＡＮ、１ｘ＋ＧＳＭ、ＤＯ＋ＧＳＭ、ＧＳＭ＋ＧＳＭ、ＧＳＭ＋ＷＣＤＭＡ／ＵＭＴＳ、ＧＳＭ＋ＴＤ−ＳＣＤＭＡ等の同時送信がサポートされうる。それゆえ、マッピングおよび電力制限が、これら組み合わせのおのおのについて提供されうる。
【００７０】
別の実施形態では、コントローラ３２０は、さまざまな電力レベル測定値、現在の干渉シナリオに関する情報、またはその他の情報に基づいて、送信回路３３０ａ，３３０ｂ，３３０ｃを動的および／または自律的にアンテナ３７０ｂ，３７０ｃ，３７０ｎへとどのように切り換えるのかを決定するように構成されうる。
【００７１】
例えば、図４を再び参照すると、いくつかのケースでは、少なくとも２つのアンテナ３７０ａ，３７０ｂを介して送信するために利用可能な１つのアクティブな送信回路３３０が存在しうる。このケースでは、前述した予め決定されたマッピングに加えて、コントローラ３２０は、アンテナ３７０ａ，３７０ｂの送信回路３３０へのマッピングを自律的に決定するように構成されうる。例えば、１つの実施形態では、アンテナのマッピングは、アンテナ３７０ａ，３７０ｂの受信電力レベルに基づく。１つのアンテナ３７０ａ，３７０ｂの１つの受信電力レベルが他のものよりも高いのであれば、このアンテナ３７０ａまたは３７０ｂは、遮られていないか、少なくとも、より高いパフォーマンスを有しているので、送信回路３３０を用いて送信するために、より理想的なアンテナ３７０ａまたは３７０ｂになるであろうことが推論されうる。１つの態様では、アンテナ３７０ａ，３７０ｂは、同じ電力送信制限を有するように設定されうる。別の態様によれば、マッピングを決定するために、異なる特性が使用されうる。
【００７２】
確かに、いくつかの実施形態では、受信構成要素および送信構成要素は、静的構成または動的構成の何れかでペアとなりうる。例えば、１つの実施形態では、送信回路３３０および第１の受信回路３４０ａは、同じアンテナ３７０ａまたは３７０ｂを介してそれぞれ送信および受信するように構成されるように、ペアとされうる。別の第２の受信回路３４０ｂは、その他のアンテナ３７０ａまたは３７０ｂを介して受信するように構成される。１つの態様では、送信回路３３０および第１の受信回路３４０ａが第１のアンテナ３７０ａを介して送信および受信するように構成されている一方、第２の受信回路３４０ｂが第２のアンテナ３７０ｂを介して受信するように構成されている場合、デフォルトまたは「ノミナル」の構成が定義されうる。このデフォルト構成にある間、第１のアンテナ３７０ａは、感知されないとして検知されうる一方、第２のアンテナ３７０ｂは、第１のアンテナ３７０ａの非感知量に対して感知されない。このケースでは、第２のアンテナ３７０ｂを介してそれぞれ送信および受信するために送信回路３３０および第１の受信回路３４０ａが切り換えられるように、コントローラ３２０が、切換回路３６０を用いて、アンテナ３７０ａ，３７０ｂにおいて相互切換する。同様に、第１のアンテナ３７０ａを介して受信するように、第２の受信回路３４０ｂが切り換えられる。
【００７３】
非感知の検出は、第１および第２の受信回路３４０ａ，３４０ｂによって検出されるような受信電力レベルに基づいてなされうる。１つの態様では、受信電力レベルは、第１および第２の受信回路３４０ａ，３４０ｂからの受信自動利得制御（ＡＧＣ）測定値を用いて取得されうる。１つの態様では、送信回路３３０と、第１の受信回路３４０ａが、第１のアンテナ３７０ａを介して送信および受信するように構成されているのであれば、コントローラ３２０は、第２のアンテナ３７０ａの第２の受信電力レベルが、第１のアンテナ３７０ｂの第１の受信電力レベルよりも高いことを検出しうる。それに応じて、コントローラ３２０は、送信回路３３０と第１の受信回路３４０ａとをそれぞれ、第２のアンテナ３７０ｂを介して送信および受信するように切り換える。コントローラ３２０は、第１のアンテナ３７０ａを介して受信するように第２の受信回路３４０ｂを切り換える。あるいは、送信回路３３０および第１の受信回路３４０ａが、第２のアンテナ３７０ａを介して送信および受信するように構成されているのであれば、コントローラ３２０は、第１のアンテナ３７０ｂの第１の受信電力レベルが、第２のアンテナ３７０ｂの第２の受信電力レベルよりも高いことを検出しうる。それに応じて、コントローラ３２０は、送信回路３３０および第１の受信回路３４０ａをそれぞれ、第１のアンテナ３７０ａを介して送信および受信するように切り換える一方、第２の受信回路３４０ｂは、第２のアンテナ３７０ｂを介して受信するように切り換えられる。
【００７４】
図９は、いくつかの実施形態にしたがって、送信回路３３０および第１の受信回路３４０ａを、アンテナ３７０ａまたは３７０ｂにマッピングするための典型的な方法９００の実施のフローチャートである。コントローラ３２０は、ブロック９０４に図示されるように、ある時間インタバル（例えばＲ秒毎）にしたがって、第１のアンテナ３７０ａに接続されている受信回路３４０ａまたは３４０ｂの何れかを用いて、第１の受信電力レベルを測定するように構成される。コントローラ３２０は、ブロック９０６に図示されるように、同時に、または、それに加えて、第２のアンテナ３７０ｂに接続されている受信回路３４０ａまたは３４０ｂの何れかを用いて、第２の受信電力レベルを測定しうる。コントローラ３２０は、第１および第２の受信回路３４０ａ，３４０ｂの測定回路３４２ａ，３４２ｂを介した受信電力レベルを示すインジケーションを受信するように構成されうる。
【００７５】
第１および第２の受信電力レベルは、受信自動利得制御（ＡＧＣ）測定値に基づきうる。受信ＡＧＣの場合、すべての測定／サンプルのために費やされる時間は、毎Ｓ秒である。データのみの場合、サンプリングは、Ｓ秒以内に、順方向リンク・パイロット・バースト持続時間中に行われうる。フィルタは、ブロック９０８，９１０に図示されるように、受信回路３４０ａ，３４０ｂの両方が、第１および第２の受信電力レベルをフィルタするために、測定回路３４２ａ，３４２ｂに含まれうる。例えば、フィルタは、ある時定数を持つシングル・ポール無限インパルス応答（ＩＩＲ）フィルタでありうる。
【００７６】
アンテナ３７０ａ，３７０ｂの第１および第２の受信電力レベルが取得され、フィルタされると、マッピングおよび対応する切り換えの決定は、コントローラ３２０によって実行されうる。切り換えるか切り換えないかの決定は、Ｔ秒（例えば、１乃至１００秒の範囲）毎になされうる。それゆえ、ブロック９１２において、コントローラ３２０は、送信回路３３０および第１の受信回路３４０ａがそれぞれ第１のアンテナ３７０ａを介して送信および受信するように構成されているか否かを判定する。このケースでは、その後、第２のアンテナ３７０ｂを使用するように、送信回路３３０および第１の受信回路３４０ａを切り換える必要性があるか否かが判定されうる。必要性があると判定されると、ブロック９１４において、コントローラ３２０は、第２の電力レベルが第１の電力レベルよりも大きいか否かと、これら２つの電力レベル間の差が、不均衡しきい値よりも大きいか否かとを判定する。不均衡しきい値は、切り換えが不必要になされていないことを保証するために提供されうる。例えば、これら２つの電力レベル間の差分が十分大きいのであれば、送信回路３３０および受信回路３４０ａ，３４０ｂ間で、単にアンテナ３７０ａ，３７０ｂを切り換える必要性がありうる。例えば、コントローラ３２０は、これら２つのレベル間の差分が１０ｄＢよりも大きい場合にのみ切り換えるように構成されうる。１つの態様では、ブロック９１４の不均衡しきい値は、例えば熱雑音制限またはある受信電力フロアのような、第１のアンテナにおける第１の受信電力レベルの特性に依存しうる。しきい値の量は動的でありうる。そして、以下にさらに記載されるだろう。
【００７７】
ブロック９１４において、条件が満足されない場合、切り換えは実行されない。ブロック９１４において、条件が満足される場合、コントローラ３２０は、第２のアンテナ３７０ｂを介してそれぞれ送信および受信するように、送信回路３３０および第１の受信回路３４０ａを切り換える。これは、コントローラ３２０によって制御されうる切換回路３６０によって実行されうる。それに対応して、コントローラ３２０は、第１のアンテナ３７０ａを介して受信するように、第２の受信回路３４０ｂを切り換える。それゆえ、コントローラ３２０は、最大の受信電力を持つアンテナ３７０ａまたは３７０ｂが、最良の送信パフォーマンスを与えるであろうという推論に基づいて、パフォーマンスを高めるために、適切なアンテナ３７０ａまたは３７０ｂを介して送信するように送信回路３３０を自律的に切り換える。いくつかの態様では、これは、送信回路３３０のパフォーマンスに対する顕著なインパクトを有しうる。
【００７８】
送信回路３３０および第１の受信回路３３０が現在、第２のアンテナ３７０ｂを介して送信および受信するように構成されていることをコントローラ３２０が検出すると、コントローラ３２０は、ブロック９１８において、第１の受信電力レベルが、第２の受信電力レベルよりも大きいか否かと、これら２つの電力レベルの差分が、不均衡しきい値よりも大きいか否かとを判定する。この不均衡しきい値は、例えば熱雑音制限のような第２の受信電力レベルの特性に依存しうる。ブロック９１８の条件が満足されていないことをコントローラ３２０が検出すると、切り換えはなされない。ブロック９１８において条件が満足されているのであれば、コントローラ３２０は、第１のアンテナ３７０ｂを介して送信および受信するように送信回路３３０および第１の受信回路３４０ａを切り換えるように構成される。それに対応して、コントローラ３２０は、第２のアンテナ３７０ｂを介して受信するように第２の受信回路３４０ｂを切り換えるように構成される。このプロセスは、更新された受信電力レベルが提供されるＴ秒（例えば、５秒）の各インタバルについて反復する。
【００７９】
前述したように、実際の切り換えをトリガするための不均衡しきい値は、受信電力レベルにおける不均衡に関するさまざまな要因に依存しうる。このしきい値は、さまざまな受信特性または送信特性の関数でありうる。例えば、２つの受信電力レベルのうちの低い方が、受信電力フロアに接近すると、切り換えのためのしきい値が、下げられうる（すなわち、２つの電力レベル間の差分が小さいほど、その他のアンテナ３７０ａまたは３７０ｂへの切り換えをトリガすることが必要とされる）。１つの態様では、受信電力フロアは、熱雑音制限に対応しうる。
【００８０】
したがって、このしきい値は動的でありうる。そして、いくつかの要因に基づきうる。いくつかの実施形態では、動的な値のマッピングを可能にするために、不均衡しきい値がルックアップ・テーブル（ＬＵＴ）から取得され、受信電力が受信電力フロアに近いか否かを評価または推論することを可能とする。不均衡しきい値はさらに、干渉レベルおよび熱レベルに基づきうる。いくつかのケースでは、ＬＵＴは、固定または「フラットな」しきい値を定義しうることがさらに認識されうる。
【００８１】
図１０Ａは、いくつかの実施形態によれば、対応する受信電力レベルによってインデクスされたような不均衡しきい値を決定するために使用されうるＬＵＴ１０００の例を示す。ＬＵＴ１０００の第１の列は、さまざまな受信電力レベルを提供する。第１の列の値の選択は、不均衡しきい値を制御または制限することを考慮しうる。第２の列は、受信電力レベルにしたがって不均衡しきい値を示す。動作条件に基づいてしきい値を動的に調節するために、例えば、前述したようなデバイス状態インデクス（ＤＳＩ）によって決定されるような任意の数の動作モードのために異なるＬＵＴ１０００が提供されうる。ここで、おのおののＤＳＩは、異なる動作条件またはモードまたはそれらの組み合わせに対応する。図１０Ａに図示されるＬＵＴ１０００は、５つの異なる不均衡しきい値を示す。しかしながら、異なる任意の数の送信電力レベルが使用されうる。ＬＵＴ１０００は、メモリ・ユニット３０８に格納されうる。
【００８２】
図１０Ｂは、いくつかの実施形態にしたがって、アンテナ３７０ａまたは３７０ｂの受信電力レベルに基づいて不均衡しきい値を決定するためにＬＵＴ１０００がどのように使用されうるのかを例示するテーブル１００２を図示する。受信電力レベルは、ＬＵＴ１０００において定義された受信電力レベルと比較される。受信電力レベルが、ＬＵＴ１００２によって定義されたような第１のレベルと第２のレベルとの間にあるのであれば、関連付けられた不均衡しきい値が適用されうる。その後、現在の受信電力レベルが、ＬＵＴ１００２によって定義されたような第２のレベルと第３のレベルとの間にあるのであれば、第２の受信電力レベルに関連付けられた、関連付けられた不均衡しきい値が適用されるという具合である。
【００８３】
さらに、第１の受信電力レベルと第２の受信電力レベルとの両方が、しきい値未満であれば、コントローラ３２０は、前述したように、デフォルト構成に切り換えるように構成されうる。
【００８４】
さらに、切り換えが起きると、それに応じて、アクセス端末１０６は、さまざまな動作を実行しうる。例えば、コントローラ３２０は、アクティブ・セット内のパイロットを求める探索の開始前に直ちに切り換えを実行するように構成されうる。さらに、コントローラ３２０が切り換えを行った後、コントローラ３２０はさらに、パイロット・フィルタをリセットする（すなわち、パイロット・フィルタを獲得モードに設定する）ように構成されうる。さらに、コントローラ３２０が切り換えを行った後、コントローラ３２０または受信回路３４０ａ，３４０ｂは、決定された期間、逆電力制御（ＲＰＣ）コマンドを無視するように構成されうる。実際、コントローラ３２０は、ＲＰＣ消去を宣言する（すなわち、送信電力を保持する）ように構成されうる。
【００８５】
（例えば、特定のＲＡＴにしたがって、対応する送信回路３３０におって決定されうるような）異なる送信電力制限をアンテナ３７０ａ，３７０ｂが有するイベントでは、コントローラ３２０はさらに、関連付けられた送信電力制限に基づいて切り換えを行うように構成されうる。したがって、いつ／どのように切り換えを行うのかを決定するためのプロセスは、送信電力制限に依存しうる。それゆえ、切り換えは、受信電力レベルのみならず、前述したようにして決定されうる現在の送信電力制限のある関数でありうる。例えば、１つの実施形態では、送信回路３３０および第１の受信回路３４０ａは、第１のアンテナ３７０ａを介して送信および受信するように構成されうる。このケースでは、コントローラ３２０は、  
・第１の受信電力レベルが、第２が受信電力レベルよりも大きく、  
・第１のアンテナ３７０ａの第１の送信電力制限と第２のアンテナ３７０ｂの第２の送信電力制限との差分に加えられた、第１の受信電力レベルと第２の受信電力レベルとの差分が、不均衡しきい値よりも大きい、  
のであれば、第２のアンテナ３７０ｂを介して送信および受信するように送信回路３３０および受信回路３４０ａをそれぞれ切り換えるように構成されうる。実施形態では、不均衡しきい値は、第１の受信電力レベルによってインデクスされたＬＵＴによって決定されうる。
【００８６】
同様に、送信回路３３０および第１の受信回路３４０ａは、第２のアンテナ３７０ｂを介して送信および受信するように構成されうる。このケースでは、コントローラ３２０は、  
・第１の受信電力レベルが、第２が受信電力レベルよりも大きく、  
・第１のアンテナ３７０ａの第１の送信電力制限と第２のアンテナ３７０ｂの第２の送信電力制限との差分に加えられた、第１の受信電力レベルと第２の受信電力レベルとの差分が、不均衡しきい値よりも大きい、  
のであれば、第１のアンテナ３７０ａを介して送信および受信するように送信回路３３０および受信回路３４０ａをそれぞれ切り換えるように構成されうる。不均衡しきい値は、第１の受信電力レベルによってインデクスされたＬＵＴによって決定されうる。
【００８７】
ちょうど説明されたように、送信電力制限を用いることは、規格を緩和しうる。これによって、コントローラ３２０は、「他の」アンテナが、より高い送信電力制限を有する場合に切り換えを行うようになる。同様に、コントローラ３２０が切り換えを行う規格は、「その他の」アンテナが、より低い送信電力制限を有する場合、より厳密になりうる。
【００８８】
図９乃至１０を参照して前述された原理は、送信回路の数が１よりも多く、複数のアンテナを伴う場合、同様に適用されうる。したがって、コントローラ３２０は、複数の受信回路３４０ａ，３４０ｃ，３４０ｎの受信電力レベルに基づいて、複数の送信回路３３０ａ，３３０ｂ，３３０ｎ（図３）を自律的に切り換えるように構成されうる。
【００８９】
図１１は、いくつかの実施形態にしたがって、無線通信装置によって実施される典型的な方法１１００の実施のフローチャートを図示する。この方法１１００は、例えば、アクセス端末１０６として実現される無線通信装置において実施されうる。この方法１１００は、アクセス端末１０６の要素に関して以下に記載されているが、当業者であれば、本明細書に記載されたブロックのうちの１または複数を実施するために、その他の構成要素が使用されうることを認識するだろう。
【００９０】
ブロック１１０２では、第１のアンテナ３７０ａの第１の受信レベルと、第２のアンテナ３７０ｂの第２の受信レベルとを示すインジケーションが受信される。１つの態様では、このインジケーションは、コントローラ３２０において受信されうる。ブロック１１０４では、第１のアンテナ３７０ａの第１の受信電力レベルが、第２のアンテナ３７０ｂの第２の受信電力レベルよりも低いこと、および、第２の受信電力レベルと第１の受信電力レベルとの差分が、しきい値よりも大きいこととが検出されることに応じて、送信回路３３０および受信回路３４０ａは、第１のアンテナ３７０ａを介して無線通信を送信および受信することから、第２のアンテナ３７０ｂを介して無線通信を送信および受信することに切り換えられうる。１つの態様では、コントローラ３２０は、切換を実行するように切換回路３６０を制御しうる。
【００９１】
図１２は、いくつかの実施形態にしたがって、無線通信装置によって実施される典型的な方法１２００の実施のフローチャートを示す。方法１２００は、アクセス端末１０６として実現される無線通信装置において実施されうる。この方法１２００は、アクセス端末１０６の要素に関して以下に記載されているが、当業者であれば、本明細書に記載されたブロックのうちの１または複数を実施するために、その他の構成要素が使用されうることを認識するだろう。
【００９２】
ブロック１２０２では、無線通信装置の検出された動作モードと、複数の送信回路３３０ａ，３３０ｂ，３３０ｎのうちのおのおののデータの優先度レベルとのうちの少なくとも１つを示すインジケーションが受信される。複数の送信回路３３０ａ，３３０ｂ，３３０ｎのおのおのは、異なるラジオ・アクセス技法にしたがって送信するように構成されている。１つの態様では、このインジケーションは、コントローラ３２０によって受信されうる。ブロック１２０４では、複数の送信回路のうちの送信回路３３０ａ，３３０ｂ，３３０ｎのおのおのは、無線通信装置の検出された動作モードと、これら送信回路のおのおののデータの優先度レベルとに基づいて、複数のアンテナ３７０ａ，３７０ｂ，３７０ｎのうちの対応する１つを介して無線通信を送信するように選択的に切り換えられる。この切換は、コントローラ３２０によって実行されうる。
【００９３】
図１３は、いくつかの実施形態にしたがって、無線通信システム１００内で適用されうる別の典型的な無線通信装置１３００の機能ブロック図である。当業者であれば、無線通信デバイス１３００は、例えば図３に図示される構成要素のうちの何れか１つまたは複数のような、より多くの構成要素を有しうることを認識するだろう。図示された無線通信デバイス１３００は、いくつかの実施形態のいくつかの顕著な特徴を記載するために役に立つ構成要素しか含んでいない。デバイス１３００は、受信モジュール１３０２および送信モジュール１３０４を含んでいる。いくつかのケースでは、受信する手段は、受信モジュール１３０２を含みうる。いくつかのケースでは、送信する手段は、送信モジュール１３０４を含みうる。デバイス１３００はさらに、第１のアンテナ１３０６および第２のアンテナ１３０８を含んでいる。デバイス１３００はさらに、切換モジュール１３１０を含んでいる。切換モジュール１３１０は、図１１のブロック１１０２，１１０４に関して前述された機能のうちの１または複数を実行するように構成されうる。いくつかのケースでは、切り換える手段は、切換モジュール１３１０を含みうる。切換モジュールはコントローラ３２０でありうる。そして、切換回路３６０を含みうる。
【００９４】
図１４は、いくつかの実施形態にしたがって無線通信システム１００内で適用されうる別の典型的な無線デバイス１４００の機能ブロック図である。当業者であれば、例えば図３に図示される構成要素のうちの何れか１または複数のようなより多くの構成要素を無線通信デバイス１４００が有しうることを認識するであろう。図示された無線通信デバイス１４００は、いくつかの実施形態のいくつかの顕著な特徴を記載するために役に立つ構成要素しか含んでいない。デバイス１４００は、送信モジュール１４０２を含んでいる。いくつかのケースでは、送信する手段は、送信モジュール１４０２のうちの１つを含みうる。デバイス１４００はさらに、複数のアンテナ１４０４を含んでいる。デバイス１４００はさらに、切換モジュール１４０６を含んでいる。切換モジュール１４０６は、図１２のブロック１２０２，１２０４に関して前述された機能のうちの１または複数を実行するように構成されうる。いくつかのケースでは、切り換える手段は、切換モジュール１４０６を含みうる。切換モジュール１４０６はコントローラ３２０でありうる。そして、切換回路３６０を含みうる。
【００９５】
ソフトウェアで実施される場合、これら機能は、コンピュータ読取可能な媒体上に格納されるか、あるいは、コンピュータ読取可能な媒体上の１または複数の命令群またはコードとして送信されうる。本明細書において開示された方法またはアルゴリズムのステップは、コンピュータ読取可能な媒体に存在しうるプロセッサ実行可能なソフトウェア・モジュールにおいて実施されうる。コンピュータ読取可能な媒体は、コンピュータ記憶媒体と通信媒体との両方を含む。これらは、コンピュータ・プログラムを、ある場所から別の場所へと移動するようにイネーブルされうる任意の媒体を含む。記憶媒体は、コンピュータによってアクセスされうる利用可能な任意の媒体である。このようなコンピュータ読取可能な媒体は、限定ではなく、例として、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、または、所望されるプログラム・コードを、命令群およびデータ命令群の形態で伝送または格納するために使用され、かつ、コンピュータによってアクセスされうるその他任意の媒体を含みうる。さらに、いかなる接続も、コンピュータ読取可能媒体と適切に称される。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。前述した組み合わせもまた、コンピュータ読取可能な媒体の範囲内に含まれるべきである。さらに、方法またはアルゴリズムの動作は、コンピュータ・プログラム製品に組み込まれうるマシン読取可能な媒体およびコンピュータ読取可能な媒体における命令群および／またはコードの１または任意の組み合わせまたはセットとして存在しうる。
【００９６】
さらに、前述されたシステムおよび方法によって示されているように、本明細書における教示は、少なくとも１つの別のノードと通信するためのさまざまな構成要素を適用するノード（例えば、デバイス）へ組み込まれうる。図１５は、いくつかの実施形態にしたがって、ノード間の通信を容易にするために適用されうるいくつかのサンプル構成要素を図示する。特に、図１５は、複数入力複数出力（ＭＩＭＯ）システム１５００の第１の無線デバイス１５１０（例えば、アクセス・ポイント）と第２の無線デバイス１５５０（例えば、アクセス端末）との簡略ブロック図である。第１のデバイス１５１０では、多くのデータ・ストリームのためのトラフィック・データが、データ・ソース１５１２から送信（ＴＸ）データ・プロセッサ１５１４へ提供される。
【００９７】
いくつかの態様では、各データ・ストリームが、それぞれの送信アンテナを介して送信される。ＴＸデータ・プロセッサ１５１４は、おのおののデータ・ストリームのために選択された特定の符号化スキームに基づいて、おのおののデータ・ストリームのトラフィック・データをフォーマットし、符号化し、インタリーブする。
【００９８】
おのおののデータ・ストリームの符号化されたデータは、ＯＦＤＭ技法を用いてパイロット・データと多重化されうる。パイロット・データは一般に、既知の手法で処理される既知のデータ・パターンであり、チャネル応答を推定するために受信システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ１５３０によって実行される命令群によって決定される。データ・メモリ１５３２は、デバイス１５１０のプロセッサ１５３０またはその他の構成要素によって使用されるプログラム・コード、データ、またはその他の情報を格納しうる。
【００９９】
すべてのデータ・ストリームの変調シンボルは、（例えば、ＯＦＤＭのために）変調シンボルをさらに処理するＴＸ  ＭＩＭＯプロセッサ１５２０に提供される。ＴＸ  ＭＩＭＯプロセッサ１５２０はその後、ＮＴ個の変調シンボル・ストリームを、ＮＴ個のトランシーバ（ＸＣＶＲ）１５２２Ａ乃至１５２２Ｔへ提供する。いくつかの態様では、ＴＸ  ＭＩＭＯプロセッサ１５２０は、データ・ストリームのシンボルへ、および、このシンボルの送信がなされるアンテナへビーム・フォーミング重みを適用する。
【０１００】
おのおののトランシーバ１５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。その後、トランシーバ１５２２Ａ乃至１５２２ＴからのＮＴ個の変調信号が、ＮＴ個のアンテナ１５２４Ａ乃至１５２４Ｔからそれぞれ送信される。
【０１０１】
第２のデバイス１５５０では、送信された変調信号が、ＮＲ個のアンテナ１５５２Ａ乃至１５５２Ｒによって受信され、おのおののアンテナ１５５２からの受信信号が、それぞれのトランシーバ（ＸＣＶＲ）１５５４Ａ乃至１５５４Ｒへ提供される。おのおのの受信機１５５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【０１０２】
その後、受信（ＲＸ）データ・プロセッサ１５６０は、ＮＲ個のシンボル・ストリームをＮＲ個のトランシーバ１５５４から受信し、受信したこれらシンボル・ストリームを、特定の受信機処理技術に基づいて処理することによって、ＮＴ個の「検出された」シンボル・ストリームが提供される。ＲＸデータ・プロセッサ１５６０は、さらに、検出された各シンボル・ストリームを復調、デインタリーブ、および復号し、データ・ストリームのトラフィック・データを復元する。ＲＸデータ・プロセッサ１５６０による処理は、デバイス１５１０においてＴＸデータ・プロセッサ１５１４およびＴＸ  ＭＩＭＯプロセッサ１５２０によって実行されるものに対して相補的である。
【０１０３】
プロセッサ１５７０は、上述したように、どのプリコーディング行列を使用するのかを定期的に決定する。プロセッサ１５７０は、行列インデクス部およびランク値部を備えた逆方向リンク・メッセージを規定することができる。データ・メモリ１５７２は、第２のデバイス１５５０のプロセッサ１５７０またはその他の構成要素によって使用されるプログラム・コード、データ、およびその他の情報を格納しうる。
【０１０４】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ１５３８によって処理され、変調器１５８０によって変調され、トランシーバ１５５４Ａ乃至１５５４Ｒによって調整され、デバイス１５１０へ送り戻される。ＴＸデータ・プロセッサ１５３８はまた、データ・ソース１５３６から、多くのデータ・ストリームのトラフィック・データを受信する。
【０１０５】
デバイス１５１０では、第２のデバイス１５５０からの変調信号が、アンテナ１５２４によって受信され、トランシーバ１５２２によって調整され、復調器（ＤＥＭＯＤ）１５４０によって復調され、ＲＸデータ・プロセッサ１５４２によって処理されて、第２のデバイス１５５０によって送信された逆方向リンク・メッセージが抽出される。その後、プロセッサ１５３０が、ビーム・フォーミング重みを決定するためにどのプリコーディング行列を使用するのかを決定し、抽出されたメッセージを処理する。
【０１０６】
図１５はまた、本明細書で教示されたようなアクセス制御動作を実行する１または複数の構成要素を含みうる通信構成要素を例示する。例えば、本明細書で教示されたように、他のデバイス（例えば、デバイス１５５０）と信号を送信／受信するために、アクセス制御構成要素１５９０が、デバイス１５１０のプロセッサ１５３０および／またはその他の構成要素と連携しうる。同様に、アクセス制御構成要素１５９２は、プロセッサ１５７０、および／または、デバイス１５５０のその他の構成要素と連携し、（例えば、デバイス１５１０のような）他のデバイスとの間と信号を送信／受信する。おのおののデバイス１５１０，１５５０について、記載された構成要素のうちの１または複数の機能が、単一の構成要素によって提供されうることが認識されるべきである。例えば、単一の処理構成要素が、アクセス制御構成要素１５９０およびプロセッサ１５３０の機能を提供し、単一の処理構成要素が、アクセス制御構成要素１５９２およびプロセッサ１５７０の機能を提供しうる。さらに、図３に関して記述された装置１５００の構成要素は、図１５の構成要素とともに組み込まれるか、図１５の構成要素へ組み込まれうる。
【０１０７】
本明細書において、例えば、「第１の」、「第２の」等のような指定を用いたいずれの参照も、一般に、これら要素の数も順序も限定しないことが理解されるべきである。むしろ、これら指定は、本明細書において、複数の要素または要素の事例を区別する従来の方法として使用されうる。したがって、第１の要素および第２の要素への参照は、２つのみの要素しか適用されていないことも、第１の要素が、ある方式において、第２の要素に先行することも意味していない。また、特に述べられていないのであれば、これら要素のセットは、１または複数の要素を含みうる。
【０１０８】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１０９】
当業者であればさらに、本明細書で開示された態様に関連して記載されたさまざまな例示的な論理ブロック、モジュール、プロセッサ、手段、回路、およびアルゴリズム・ステップのうちの何れも、電子ハードウェア（例えば、デジタル実装、アナログ実装、あるいは、ソース・コーディングまたはその他いくつかの技術を用いて設計されうるこれら２つの組み合わせ）、命令群を組み込んだプログラムまたは設計コードからなるさまざまな形態（本明細書では、便宜上、「ソフトウェア」または「ソフトウェア・モジュール」として称されうる）、またはこれらの組み合わせとして実現されうることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【０１１０】
本明細書に開示された態様に関連して、および、図１乃至１５に関連して記載された例示的なさまざまな論理ブロック、モジュール、および回路は、集積回路（ＩＣ）、アクセス端末、またはアクセス・ポイント内に実装されうるか、集積回路（ＩＣ）、アクセス端末、またはアクセス・ポイントによって実行されうる。ＩＣは、汎用プロセッサ、デジタル信号プロセッサ、特定用途向けＩＣ（ＡＳＩＣ）、フィールド・プログラマブル・ゲート・アレイ（ＦＰＧＡ）またはその他のプログラマブル論理デバイス、ディスクリート・ゲートまたはトランジスタ・ロジック、ディスクリート・ハードウェア構成要素、電子構成要素、光学構成要素、機械的構成要素、または、本明細書に記載された機能を実行するように設計されたこれら任意の組み合わせを含みうる。そして、ＩＣの内部、ＩＣの外部、またはその両方に存在するコードまたは命令群を実行しうる。論理ブロック、モジュール、および回路は、ネットワークの内部、または、デバイスの内部のさまざまな構成要素と通信するためのアンテナおよび／またはトランシーバを含みうる。汎用プロセッサは、マイクロプロセッサでありうるが、代わりに、従来技術によるプロセッサ、コントローラ、マイクロコントローラ、またはステート・マシンでありうる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティング・デバイスの組み合わせとして実現されうる。これらモジュールの機能は、本明細書に教示されたようなその他の手法において実施されうる。（例えば、添付図面のうちの１または複数に関して）本明細書に記載された機能は、いくつかの態様において、添付された特許請求の範囲における機能のために同様に指定された「手段」に対応しうる。
【０１１１】
開示された任意の処理におけるステップの具体的な順序または階層は、サンプル・アプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【０１１２】
本開示において記載された実施形態に対するさまざまな修正は、当業者に容易に明らかになりうる。そして、本明細書に記載された一般的な原理は、本開示の範囲または精神から逸脱することなく、他の実施形態にも適用されうる。したがって、本開示は、本明細書に図示された実施形態に限定されるとは意図されていないが、本明細書に開示された請求項、原理、および新規の特徴と一貫した最も広いスコープを与えられるべきである。「典型的である」という用語は、「例、事例、または例示として役立つ」ことを意味するために排他的に使用される。本明細書で“典型的である”と記載されたあらゆる実施形態は、他の実施形態よりも好適であるとか有利であるとか解釈される必要は必ずしもない。
【０１１３】
個別の実施形態のコンテキストにおいて本明細書で記載されたいくつかの特徴は、単一の実施形態の組み合わせで実施されうる。逆に、単一の実施形態のコンテキストにおいて記載されたさまざまな特徴はまた、複数の実施形態で個別に、または、荷煮の適切なサブ組み合わせにおいて実施されうる。さらに、これら特徴は、いくつかの実施形態における動作として、および、最初に特許請求されたものとして記載されうるが、特許請求された組み合わせからの１または複数の特徴は、いくつかのケースでは、組み合わせから取り除かれ、特許請求された組み合わせは、サブ組み合わせまたはサブ組み合わせのバリエーションに向けられうる。
【０１１４】
同様に、これら動作は、特定の順序で図中に示されているが、これは、所望される結果を達成するために、このような動作が、図示された特定の順序または連続順で実行されることも、例示されたすべての動作が実行されることも、必要であるとは理解されるべきではない。ある状況では、マルチタスクおよび並行処理が有利でありうる。さらに、前述された実施形態におけるさまざまなシステム構成要素を分離することは、すべての実施形態においてこのような分離を必要とするとは理解されるべきではなく、記載されたプログラム構成要素およびシステムは、一般に、単一のソフトウェア製品内にともに組み込まれうるか、複数のソフトウェア製品にパッケージされうることが理解されるべきである。さらに、その他の実施形態は、以下に示す特許請求の範囲のスコープ内にある。いくつかのケースでは、特許請求の範囲において記載された動作は、別の順序で実行され、依然として所望の結果を達成しうる。
【図１】
2015521006.tif 000004
【図２】
2015521006.tif 000005
【図３】
2015521006.tif 000006
【図４】
2015521006.tif 000007
【図５】
2015521006.tif 000008
【図６】
2015521006.tif 000009
【図７Ａ】
2015521006.tif 000010
【図７Ｂ】
2015521006.tif 000011
【図８】
2015521006.tif 000012
【図９】
2015521006.tif 000013
【図１０Ａ】
2015521006.tif 000014
【図１０Ｂ】
2015521006.tif 000015
【図１１】
2015521006.tif 000016
【図１２】
2015521006.tif 000017
【図１３】
2015521006.tif 000018
【図１４】
2015521006.tif 000019
【図１５】
2015521006.tif 000020
【国際調査報告】
2015521006.tif 000021
2015521006.tif 000022
2015521006.tif 000023